(57)【要約】  本発明に係る空気清浄装置は、外形を形成し、側面のうち、一側にフィルタ設置開口部が形成されたボディケースと、前記ボディケースの内部に配置されるフィルタハウジングと、空気が通過するドロワ開口部を形成するフレームと、前記フレームに結合され、前記フィルタ設置開口部を覆うフィルタカバーとを備えるドロワと、前記フレームに分離可能に定着する前記ドロワ開口部を通過した空気をろ過するフィルタモジュールとを備える。前記ドロワは、前記フィルタ設置開口部を介して前記フィルタハウジングの内部空間から引き出しが可能である。【選択図】図６
2018533716.tif 000002
【特許請求の範囲】
【請求項１】
空気清浄装置であって、
外形を形成し、側面のうち、一側にフィルタ設置開口部が形成されたボディケースと、
前記ボディケースの内部に配置されるフィルタハウジングと、
空気が通過するドロワ開口部を形成するフレームと、前記フレームに結合され、前記フィルタ設置開口部を覆うフィルタカバーとを備えるドロワと、
前記フレームに分離可能に定着する前記ドロワ開口部を通過した空気をろ過するフィルタモジュールと、を備え、
前記ドロワは、前記フィルタ設置開口部を介して前記フィルタハウジングの内部空間から引き出しが可能なものである、空気清浄装置。
【請求項２】
前記ドロワが前記フィルタハウジングの内部空間に定着した状態で、空気が上下方向に前記ドロワ開口部及びフィルタモジュールを通過するように備えられる、請求項１に記載の空気清浄装置。
【請求項３】
前記フィルタモジュールは、互いに分離可能なように積層された複数のフィルタを備える、請求項１に記載の空気清浄装置。
【請求項４】
前記フレームは、前記フィルタハウジングに対して前後方向に摺動され、間隙に前記ドロワ開口部を形成する一対のサイドフレームを備える、請求項１に記載の空気清浄装置。
【請求項５】
前記フィルタカバーは、前記一対のサイドフレームの前端部に配置され、
前記フレームは、
前記一対のサイドフレームの後端部間を連結して配置されるリアフレームと、
前記一対のサイドフレームの前端部間を連結して配置され、前記フィルタカバーの後面に結合されたフロントフレームを備える、請求項４に記載の空気清浄装置。
【請求項６】
前記一対のサイドフレーム、リアフレーム、及びフロントフレームは、前記フィルタモジュールが定着する定着面を形成し、
前記一対のサイドフレームの定着面は、前記リアフレームの定着面及び前記フロントフレームの定着面のうち少なくとも一つと高低差を有する、請求項５に記載の空気清浄装置。
【請求項７】
前記フィルタハウジングは、
前記フィルタハウジングの両側に各々配置され、前記フレームの引き出し及び引き込みをガイドする一対のドロワガイドを備え、
前記ドロワは、前記フレームの両側に各々配置され、前記ドロワガイドに沿って移動される一対のスライダをさらに備える、請求項１に記載の空気清浄装置。
【請求項８】
前記ドロワと独立的に前記フィルタハウジングの内部空間から引き出されるメッシュフィルタをさらに備え、
前記フィルタハウジングは、前記フィルタハウジングの内部で前記一対のドロワガイド間に前記ドロワガイドより低く配置され、前記メッシュフィルタの引き出し及び引き込みをガイドするメッシュフィルタガイドをさらに備える、請求項７に記載の空気清浄装置。
【請求項９】
前記フィルタハウジングは、前記フィルタハウジングの内部上側に配置され、
前記フィルタモジュールが前記ドロワとともに引き出し及び引き込まれるとき、前記フィルタモジュールの上側面の移動をガイドするフィルタモジュールガイドをさらに備える、請求項７に記載の空気清浄装置。
【請求項１０】
前記ドロワガイド及び前記スライダのうち何れか一つは、ローラを備え、
前記ドロワガイド及び前記スライダのうち他の一つは、前記ローラが接触するレール部を備え、
前記レール部は、
前記ドロワが前記フィルタハウジングの内部空間に引き込まれ始めるとき、前記ローラに接触される第１の地点から前記ドロワ開口部の前端が前記フィルタハウジングの内部空間に引き込まれる前に前記ローラに接触される第２の地点まで平坦面を形成する第１の区間部と、
前記第２の地点から前記ドロワが前記フィルタハウジングの内部空間に定着した状態で前記ローラに接触される第３の地点まで前記フレームを上側に引き上げるように前記第１の区間部と異なる高さを有した第２の区間部と、を備える、請求項７に記載の空気清浄装置。
【請求項１１】
前記第２の区間部は、
前記第１の区間部の高さと相対的に大きい高低差を有し、前記第２の地点に相対的に近い位置に配置される第１の高さ形成部と、
前記第１の区間部の高さと相対的に小さい高低差を有し、前記第３の地点に相対的に近い位置に配置される第２の高さ形成部と、を備える、請求項１０に記載の空気清浄装置。
【請求項１２】
前記フィルタモジュールは、電気集塵装置を備え、
前記ドロワと独立的に前記フィルタハウジングの内部空間から引き出され、前記電気集塵装置の流入口が形成された方向に配置されるメッシュフィルタをさらに備え、
前記フィルタハウジングは、前記電気集塵装置に電源の印加可能可否をスイッチングし、互いに直列に連結されて全て押される場合、前記電源が印加可能なように備えられる第１の遮断スイッチ及び第２の遮断スイッチを備え、
前記電気集塵装置は、前記ドロワが前記フィルタハウジングの内部空間に引き込まれたとき、前記第１の遮断スイッチを押すように前記電気集塵装置から突出された第１の遮断突起を備え、
前記メッシュフィルタは、前記メッシュフィルタが前記フィルタハウジングの内部空間に引き込まれたとき、前記第２の遮断スイッチを押すように前記メッシュフィルタから突出された第２の遮断突起を備える、請求項１に記載の空気清浄装置。
【請求項１３】
前記フィルタカバーは、下側部に前記フレームが結合されるように備えられ、前記フレームと垂直方向に延びて形成される、請求項１に記載の空気清浄装置。
【請求項１４】
前記フィルタカバーは、
取っ手を形成する前面部と、
フィルタモジュールの前方面に接触する後面部と、
前記後面部と前記前面部との間に配置され、前記フィルタハウジングの内部上側面を向かい合う上面部と、を備える、請求項１に記載の空気清浄装置。
【請求項１５】
前記フィルタカバーは、
前記上面部に配置され、前記ドロワが前記フィルタハウジングの内部空間に定着した状態で前記フィルタハウジングに係止される係止部と、
前記取っ手に配置され、前記係止部との係止を解除させる係止解除ボタンと、をさらに備える、請求項１４に記載の空気清浄装置。
【請求項１６】
前記フィルタカバーは、前記フィルタ設置開口部の高さより所定距離高く形成され、センサホールを形成する上側延長部を備え、
前記上側延長部の背面側に配置され、前記センサホールを介して流入した空気から所定情報を感知するセンサモジュールをさらに備える、請求項１に記載の空気清浄装置。
【請求項１７】
前記センサモジュールは、複数のセンサを備え、
前記センサホールは、前記複数のセンサが配列された方向に長く形成される、請求項１６に記載の空気清浄装置。
【請求項１８】
前記ボディケースは、前記ドロワが前記フィルタハウジングの内部空間に定着した状態で前記上側延長部と噛み合うように形成された陥没部を備える、請求項１６に記載の空気清浄装置。
【請求項１９】
前記センサモジュールは、埃濃度を感知する埃センサを備え、
前記ボディケースは、前記埃センサの内部掃除のための掃除ホールと、前記埃センサに空気を流入させるための流入ホールと、前記埃センサから空気を流出させるための流出ホールとを形成し、
前記センサホールは、前記流入ホール及び前記流出ホールに対応する位置に形成され、
前記上側延長部は、前記ドロワの引き出し及び引き込みによって前記掃除ホールを開閉するように備えられる、請求項１６に記載の空気清浄装置。
【請求項２０】
前記埃センサは、前記埃センサに流入した空気に熱を加える加熱部を備え、
前記流入ホール、掃除ホール、及び流出ホールは、順に下側から上側に配置され、
前記センサホールは、前記流入ホール及び前記流出ホールのうち少なくとも一つと対応する位置で左右方向に長いスリットで形成され、
前記センサモジュールは、前記スリットの長さ方向に配列された複数のセンサを備える、請求項１９に記載の空気清浄装置。
【発明の詳細な説明】
【技術分野】
【０００１】
本発明は、吸入された空気をろ過する着脱式フィルタモジュールを備える空気清浄装置に関するものである。
【背景技術】
【０００２】
空気調和機は、空気の温度を制御する冷房装置や暖房装置、空気の異物を除去して清浄度を維持させる空気清浄装置、空気中に水分を提供する加湿装置、空気中の水分を除去する除湿装置等がある。
【０００３】
空気清浄装置は、空気を吸入し、吐出させるファンを備える。空気清浄装置は、吸入された空気をろ過するフィルタモジュールを備える。
【０００４】
従来の空気清浄装置のうち、前記フィルタモジュールが前記空気清浄装置に着脱式に備えられるものがある。着脱式に備えられたフィルタモジュールは、フィルタモジュールの洗浄のために、本体から分離したり、空気清浄装置の駆動のために、本体に結合される。
【発明の概要】
【発明が解決しようとする課題】
【０００５】
本発明が解決しようとする第１の課題は、空気清浄装置の着脱式フィルタモジュールをユーザが容易に分離及び結合できる構造を提供することである。
【０００６】
本発明が解決しようとする第２の課題は、着脱されるフィルタモジュールが複数個である場合にも複数のフィルタを一度に分離し、一度に結合できる構造を提供することである。
【０００７】
本発明が解決しようとする第３の課題は、前記フィルタモジュールが定着して支持され、ろ過流路のための開口部を形成し、フィルタモジュールの着脱のためのドロワ構造を提供することである。
【０００８】
前記フィルタモジュールが電気集塵装置を備える場合、作動中、空気の流入口側の開口部にユーザの手等、身体の一部が入る状況が発生すれば、高電圧に感電される危険がある。第４の課題は、使用中、感電危険を遮断する構造を提供することである。
【０００９】
本発明の課題は、以上で言及した課題に制限されず、言及されていないさらに他の課題は、下記の記載から当業者に明確に理解され得るであろう。
【課題を解決するための手段】
【００１０】
本発明の空気清浄装置は、外形を形成し、側面のうち、一側にフィルタ設置開口部が形成されたボディケース、及び前記ボディケースの内部に配置されるフィルタハウジングを備える。
【００１１】
前記第１ないし第３の課題を解決するために、本発明の解決手段である空気清浄装置は、空気が通過するドロワ開口部を形成するフレームと、前記フレームに結合され、前記フィルタ設置開口部を覆うフィルタカバーとを備えるドロワ、及びフレームに分離可能に定着するドロワ開口部を通過した空気をろ過するフィルタモジュールを備える。前記ドロワは、前記フィルタ設置開口部を介して前記フィルタハウジングの内部空間から引き出しが可能に備えられる。
【００１２】
前記空気清浄装置は、前記ドロワが前記フィルタハウジングの内部空間に定着した状態で、空気が上下方向に前記ドロワ開口部及びフィルタモジュールを通過するように備えられることができる。
【００１３】
前記フィルタモジュールは、互いに分離可能なように積層された複数のフィルタを備えることができる。
【００１４】
前記フレームは、前記フィルタハウジングに対して前後方向に摺動され、間隙に前記ドロワ開口部を形成する一対のサイドフレームを備えることができる。
【００１５】
前記フィルタカバーは、前記一対のサイドフレームの前端部に配置されることができる。前記フレームは、前記一対のサイドフレームの後端部間を連結して配置されるリアフレーム、及び前記一対のサイドフレームの前端部間を連結して配置され、前記フィルタカバーの後面に結合されたフロントフレームを備えることができる。
【００１６】
前記一対のサイドフレーム、リアフレーム、及びフロントフレームは、前記フィルタモジュールが定着する定着面を形成できる。前記一対のサイドフレームの定着面は、前記リアフレームの定着面及び前記フロントフレームの定着面のうち、少なくとも１つと高低差を有することができる。
【００１７】
前記フィルタハウジングは、前記フィルタハウジングの両側に各々配置され、前記フレームの引き出し及び引き込みをガイドする一対のドロワガイドを備えることができる。前記ドロワは、前記フレームの両側に各々配置され、前記ドロワガイドに沿って移動される一対のスライダを備えることができる。
【００１８】
前記空気清浄装置は、前記ドロワと独立的に前記フィルタハウジングの内部空間から引き出されるメッシュフィルタをさらに備えることができる。前記フィルタハウジングは、前記フィルタハウジングの内部で前記一対のドロワガイド間に前記ドロワガイドより低く配置されるメッシュフィルタガイドを備えることができる。前記メッシュフィルタガイドは、前記メッシュフィルタの引き出し及び引き込みをガイドする。
【００１９】
前記フィルタハウジングは、前記フィルタハウジングの内部上側に配置され、前記フィルタモジュールが前記ドロワとともに引き出し及び引き込まれるとき、前記フィルタモジュールの上側面の移動をガイドするフィルタモジュールガイドをさらに備える空気清浄装置である。
【００２０】
前記ドロワガイド及び前記スライダのうち、いずれか１つは、ローラを備え、前記ドロワガイド及び前記スライダのうち、他の１つは、前記ローラが接触するレール部を備える。この場合、ドロワの軟らかい引き出し及び引き込み動作を実現し、ドロワが定着した状態（ｓｅｔｔｌｅｍｅｎｔ）で上下方向遊びを防止するために、前記レール部は、第１の区間部及び第２の区間部を備えることができる。
【００２１】
前記フィルタモジュールは、電気集塵装置を備えることができる。この場合、前記第４の課題のために、前記フィルタハウジングは、前記電気集塵装置に電源の印加可能可否をスイッチングし、互いに直列に連結されて全て押される場合、前記電源が印加可能なように備えられる第１の遮断スイッチ及び第２の遮断スイッチを備えることができる。前記電気集塵装置は、前記第１の遮断スイッチを押すように前記電気集塵装置から突出された第１の遮断突起を備えることができる。また、前記メッシュフィルタは、前記第２の遮断スイッチを押すように前記メッシュフィルタから突出された第２の遮断突起を備えることができる。
【００２２】
前記フィルタカバーは、下側部に前記フレームが結合されるように備えられ、前記フレームと垂直方向に延びて形成されることができる。
【００２３】
前記フィルタカバーは、取っ手を形成する前面部と、フィルタモジュールの前方面に接触する後面部と、前記後面部と前記前面部との間に配置され、前記フィルタハウジングの内部上側面を向かい合う上面部を備えることができる。
【００２４】
前記フィルタカバーは、係止装置を備えることができる。
【００２５】
前記フィルタカバーは、前記フィルタ設置開口部の高さより所定間隔高く形成され、センサホールを形成する上側延長部を備えることができる。この場合、前記上側延長部の背面側に配置され、前記センサホールを介して流入した空気から所定情報を感知するセンサモジュールをさらに備えることができる。
【００２６】
前記ボディケースは、前記ドロワが前記フィルタハウジングの内部空間に定着した状態で前記上側延長部と噛み合うように形成された陥没部を備えることができる。
【発明の効果】
【００２７】
フィルタモジュールを容易に分離して洗浄し、再度引き込みやすいという効果がある。特に、フィルタモジュールが複数のフィルタで備えられた場合、複数のフィルタを前記ドロワに全て載せておき、ドロワを引き込み及び引き出せば、複数のフィルタを一度に引き込み及び引き出すことができるという効果がある。
【００２８】
また、前記ドロワの細部構造によって、フィルタモジュールを定着させたドロワを引き込むとき、引き込み動作の初期には十分な遊びをおいて引き込み動作の便宜性を上昇させながらも、ドロワが終わりまで引き込まれて定着した状態では、遊びを最小化して電源端子などの接触が正確になされるようにするという効果がある。
【００２９】
また、電気集塵装置のフィルタハウジングからの引き出しの際に、遮断スイッチが電源回路を開放して、未使用時の感電危険性を顕著に減らすという効果がある。さらに、電気集塵装置は、メッシュフィルタが前記流入口側に配置され、メッシュフィルタに形成された第２の遮断スイッチを実現することにより、電気集塵装置の使用中の感電危険性を顕著に減らすという効果がある。
【００３０】
また、電気集塵装置と別にメッシュフィルタを分離して洗浄しやすいながらも、同時に電気感電に対する安全性を確保できるという効果がある。
【００３１】
また、外部の空気を用いる複数のセンサに別のファンを追加しなくとも、音圧がかかって空気の流入を導くという効果があり、前記ドロワのフィルタカバーにより埃センサの掃除ホールが開閉されて、別のドロワ以外の別の埃センサ開閉構造を備えなくても良いという効果がある。
【００３２】
また、フィルタカバーが前方及び上側からユーザの手を完全に離間させて、感電の危険性を減らしながらも、前方の空気に関する情報を感知しやすい構造を実現できるという効果がある。
【００３３】
本発明の効果は、以上で言及した効果に制限されず、言及されていないさらに他の効果は、請求の範囲の記載から当業者に明確に理解され得るであろう。
【図面の簡単な説明】
【００３４】
【図１】本発明の一実施形態に係る空気調和機の斜視図である。
【図２】図１の加湿装置２００の部品を分離した分解斜視図である。
【図３】図１の空気調和機の縦断面図である。
【図４】図１のボディ１３０だけを分離して示した分解斜視図である。
【図５】図４のボディ１３０の部品を分離した分解斜視図である。
【図６】図１のボディ１３０と、これに脱着可能なフィルタアセンブリ１０を示した斜視図である。
【図７】図６のフィルタアセンブリ１０の斜視図である。
【図８】図７のフィルタアセンブリ１０の底面図である。
【図９】図８のフィルタアセンブリ１０を切り取ったＡ１−Ａ１縦断面図である。
【図１０】図７のフィルタアセンブリ１０の分解斜視図である。
【図１１】図６のボディ１３０からフィルタアセンブリ１０が分離された状態においてボディ１３０の正面図である。
【図１２】図１１のボディ１３０を垂直に切り取った断面図である。図１２は、図１１のＡ２−Ａ２に沿って切り取った断面図であり、図１３は、図２８のＡ３−Ａ３に沿って切り取った断面図である。
【図１３】図１１のボディ１３０を垂直に切り取った断面図である。図１２は、図１１のＡ２−Ａ２に沿って切り取った断面図であり、図１３は、図２８のＡ３−Ａ３に沿って切り取った断面図である。
【図１４】図１１のボディ１３０の斜視図であって、フィルタハウジング１４０内部のガイド構造１４６、１４７を示した図である。
【図１５】図１１のボディ１３０の斜視図であって、フィルタハウジング１４０内部のガイド構造１４２を示した図である。
【図１６】図１０のドロワ４００の斜視図である。
【図１７】図１６のドロワ４００を他の側面から見た斜視図である。
【図１８】図１６のドロワ４００を側面から見た立面図である。
【図１９】図１８のドロワ４００を切り取ったＡ４−Ａ４断面図である。
【図２０】図１８のドロワ４００を切り取ったＡ５−Ａ５断面図である。
【図２１】図１６のドロワ４００を正面から見た立面図である。
【図２２】図１４のフィルタハウジング１４０のドロワガイド１４７とドロワ４００のスライダ４１４との配置状態を見せる垂直断面図である。
【図２３】図１４のドロワガイド１４７とスライダ４１４との配置状態を見せる断面斜視図であって、ドロワ開口部の前端４００ａ１がメッシュフィルタの前端３００１より前方に配置されるとき、ローラ１４７ｂがスライダ４１４に接触する地点を示した図である。
【図２４】図６のフィルタアセンブリ１０がフィルタハウジング１４０の内部空間に定着した状態で、電気集塵装置５００の回路図を示した概念図である。
【図２５】図６のフィルタアセンブリ１０がフィルタハウジング１４０から引き出された状態で、電気集塵装置５００の回路図を示した概念図である。
【図２６】図２４及び図２５に示された帯電部５１０の回路図を概念的に示した斜視図である。
【図２７】図２４及び図２５に示された集塵部５４０の回路図を概念的に示した立面図である。
【００３５】
以下において言及される上／下／前／後／左／右などの方向を指す表現は、図１等に表示されたところによって定義するが、これはあくまでも本発明が明確に理解され得るように説明するためのものであり、基準をどこに置くかによって各方向を異なるように定義することもできることはもちろんである。図面に表記されたＵ、Ｄ、Ｆ、Ｒ、Ｌｅ、及びＲｉは、それぞれ上（Ｕｐ）、下（Ｄｏｗｎ）、前（Ｆｒｏｎｔ）、後（Ｒｅａｒ）、左（Ｌｅｆｔ）、及び右（Ｒｉｇｈｔ）を指す。
【発明を実施するための形態】
【００３６】
本発明の空気清浄装置は、冷暖房または加湿などが可能な空気調和機等において部分的な装置として利用されることができ、空気清浄のための別の独立的な装置として利用されることもできる。本実施形態では、空気調和機に装着された空気清浄装置として説明するか、必ずこれに限定される必要はない。
【００３７】
以下において表現された電位は、電気的位置エネルギーを意味する。以下において表現された電圧は、２つの地点の電位の差を意味する。以下において表現される電気的に連結は、互いに電気が流れるように直接接触されるものだけでなく、間隙に他の伝導体を介して連結されるものまで包括する意味である。本発明の全体にわたって第１、第２、・・・の表現は、構成要素の区分のためのものであって、構成要素間の優先順位または重要度などとは関係ない。
【００３８】
図１〜図５を参考して、一実施形態に係る空気調和機は、空気清浄装置１００及び前記空気清浄装置１００の上側に据え置かれる加湿装置２００を備える。空気清浄装置１００は、底上に据え置かれ、前記加湿装置２００は、空気清浄装置１００上に据え置かれる。
【００３９】
前記空気清浄装置１００は、外部空気を吸入した後、ろ過し、ろ過された空気を前記加湿装置２００に提供する。前記空気清浄装置１００は、流入した外部空気中に含まれた異物を除去し、悪臭などを除去したろ過された空気を加湿装置２００に吐出する。前記加湿装置２００は、前記ろ過された空気の供給を受けて水分を提供する加湿を行い、加湿空気を外部に吐出する。
【００４０】
加湿装置２００と空気清浄装置１００とは、互いに分離可能である。ユーザは、前記加湿装置２００及び空気清浄装置１００を互いに分離した後、掃除できる。ユーザは、前記加湿装置２００を空気清浄装置１００から分離した後、内部に配置された水槽３０に水を供給できる。ユーザは、前記加湿装置２００が空気清浄装置１００に積層された状態で水を給水することもできる。
【００４１】
前記空気清浄装置１００は、外部空気が吸入される吸入流路１０１を形成する。前記空気清浄装置１００は、前記吸入された空気に対してろ過を行うろ過流路１０２を形成する。
【００４２】
加湿装置２００が空気清浄装置１００に積層された状態で、前記空気調和機は、空気清浄装置１００でろ過された空気を加湿装置２００に供給するために、空気が通過する連結流路１０３を形成する。前記空気清浄装置１００側に形成された連結流路１０３をクリーン連結流路１０４と定義し、前記加湿装置２００側に形成された連結流路を加湿連結流路１０５と定義する。空気清浄装置１００は、クリーン連結流路１０４を形成する。加湿装置２００は、加湿連結流路１０５を形成する。
【００４３】
前記加湿装置２００は、前記空気清浄装置１００を通過したろ過された空気に対して加湿を行う加湿流路１０６が形成される。前記ろ過された空気は、加湿流路１０６を通過しながら水分の供給を受けて加湿される。加湿流路１０６の下流側には、吐出流路１０７が形成されて、空気清浄装置１００及び加湿装置２００により処理された空気が外部に吐出されるように案内する。
【００４４】
本実施形態において空気清浄装置１００及び加湿装置２００の内部で空気の流動方向が一部折れる部分があるが、空気流れ方向Ａは、全体的に上下方向である。具体的に、空気流れ方向Ａは、下側から上側への方向である。
【００４５】
前記空気調和機は、空気清浄装置の作動状態をユーザに表示するディスプレイモジュール１６０を備えることができる。
【００４６】
前記空気調和機は、加湿装置２００を持ち上げるための取っ手１２９を備えることができる。
【００４７】
前記空気清浄装置１００は、前記吸入流路１０１を介して吸入された外部空気を前記加湿装置２００に案内するボディ１３０と、前記ボディ１３０に対して分離可能に設けられ、前記吸入された外部空気に対してろ過を行うフィルタアセンブリ１０と、前記ボディ１３０内部に配置され、流動する空気に対して圧力を提供する送風ユニット２０とを備える。
【００４８】
前記空気清浄装置１００は、ベース１１２に設けられ、ボディ１３０は、ベース１１２と離間して前記吸入流路１０１を形成する。ボディ１３０は、ベース１１２から離間して設けられるので、ボディ１３０の下側面全体を介して外部空気を吸入できる。前記空気清浄装置１００は、下側から吸入された外部空気を上側に移動させる。空気は、ろ過流路１０２に沿って下側から上側に重力方向を逆らって流動する。
【００４９】
外部空気は、前記吸入流路１０１を介して水平平面上の３６０度全方向から吸入される。前記ベース１１２及びボディ１３０を離間させるために、前記ボディ１３０及びベース１１２間にブリッジフレーム１１５が設けられる。前記ブリッジフレーム１１５は、前記ベース１１２及びボディ１３０を結合させ、前記ボディ１３０を支持する。
【００５０】
外部空気は、前記ブリッジフレーム１１５を通って吸入口１１１に流動する。前記ブリッジフレーム１１５に上下にブリッジ１１４が複数個形成される。前記ブリッジ１１４の個数は、ユーザの指が吸入口１１１に進入できないように細かく配置されることが好ましい。
【００５１】
ボディ１３０は、空気清浄装置１００の外形を形成するボディケース１３１を備える。
【００５２】
前記ボディ１３０は、上下方向に対して垂直な平面に切り取った断面が円形に形成されることができる。
【００５３】
前記ボディ１３０にフィルタアセンブリ１０が脱着可能に結合される。前記フィルタアセンブリ１０は、ボディ１３０から水平方向に分離されることができる。フィルタアセンブリ１０は、ボディ１３０に対して前後方向に引き込まれるか、引き出されることができる。フィルタアセンブリ１０は、複数個のフィルタが上下方向に積層されて配置されることができる。複数個のフィルタは、ユーザが分離可能なように積層されて配置されることができる。フィルタアセンブリ１０は、前記複数個のフィルタを一時に移動させるドロワ４００を備えることができる。これに関する詳細な説明は後述する。
【００５４】
空気清浄装置１００は、外形を形成し、一側（前方側）にフィルタ設置開口部１３３が形成されたボディケース１３１を備える。空気清浄装置１００は、ボディケース１３１の内部に配置されるフィルタハウジング１４０を備える。
【００５５】
フィルタハウジング１４０は、フィルタアセンブリ１０が脱着可能に収容する内部空間を形成する。フィルタハウジング１４０は、ボディ１３０に設けられる。フィルタハウジング１４０は、ボディ１３０の内部に固定されて配置される。フィルタハウジング１４０は、電気集塵装置５００などのフィルタモジュールが挿入され得る内部空間を形成する。前記フィルタモジュールは、フィルタ設置開口部１３３を介してフィルタハウジング１４０の内部空間に引き込まれることができる。前記フィルタモジュールは、フィルタ設置開口部１３３を介してフィルタハウジング１４０の内部空間から引き出しが可能である。ドロワ４００は、フィルタ設置開口部１３３を介してフィルタハウジング１４０の内部空間に引き込まれることができる。ドロワ４００は、フィルタ設置開口部１３３を介してフィルタハウジング１４０の内部空間から引き出しが可能である。ドロワ４００は、前後方向に引き込み及び引き出される。
【００５６】
フィルタハウジング１４０とフィルタアセンブリ１０とは、結合された状態でろ過流路１０２が形成される。ろ過流路１０２の上流側は、吸入流路１０１と連結される。ろ過流路１０２の下流側は、連結流路１０３と連結される。具体的に、ろ過流路１０２の下流側は、クリーン連結流路１０４と連結される。
【００５７】
ボディケース１３１の一側（前面）にフィルタ設置開口部１３３が形成される。前記フィルタアセンブリ１０は、前記フィルタ設置開口部１３３を介して前記フィルタハウジング１４０内部に挿入される。フィルタアセンブリ１０は、前記フィルタ設置開口部１３３を覆うフィルタカバー４１３を備える。
【００５８】
前記ボディ１３０内部に、前記送風ユニット２０から吐出された空気を前記加湿装置２００に案内する送風ハウジング１５０が設けられる。前記送風ハウジング１５０は、前記フィルタハウジング１４０の上側に位置する。前記送風ハウジング１５０は、前記フィルタハウジング１４０に固定される。
【００５９】
前記フィルタハウジング１４０及び送風ハウジング１５０間に送風ユニット２０が設けられる。前記送風ユニット２０は、空気を流動させる圧力を提供する。
【００６０】
前記フィルタアセンブリ１０は、空気の流動と直交するように配置される。前記フィルタアセンブリ１０は、ろ過流路１０２と交差するように設けられる。前記ろ過流路１０２は、上下方向に形成され、前記フィルタアセンブリ１０は、水平方向に引き込み及び引き出される。
【００６１】
前記吸入流路１０１を介して吸入された空気は、前記フィルタハウジング１４０の内部を介して送風ユニット２０に流動する。前記送風ユニット２０は、フィルタハウジング１４０の上側に配置され、ろ過流路１０２の空気を吸入して加湿装置２００に吐出する。
【００６２】
前記送風ユニット２０は、送風モータ２２及び送風ファン２４で構成される。本実施形態において、前記送風モータ２２及び送風ファン２４は共に送風ハウジング１５０及びフィルタハウジング１４０間に配置され、前記送風モータ２２が上側に配置され、送風ファン２４が下側に配置される。
【００６３】
前記送風モータ２２は、送風ハウジング１５０に設けられ、前記送風ハウジング１５０に支持される。前記送風ファン２４は、送風モータ２２と組み立てられ、前記送風モータ２２の駆動力が伝達されて回転される。前記送風ファン２４は、フィルタハウジング１４０側に配置される。
【００６４】
設置空間を最小化するために、前記送風モータ２２は、送風ハウジング１５０の内部に少なくとも一部が挿入され得るし、前記送風ファン２４は、フィルタハウジング１４０内部に少なくとも一部が挿入され得る。
【００６５】
前記送風ファン２４は、中央にろ過された空気を吸入した後、円周方向にろ過された空気を吐出する。本実施形態において前記送風モータ２２は、空気と抵抗を発生させないように送風ファン２４の上側に位置する。前記送風モータ２２は、空気の流路を外れて設けられる。
【００６６】
前記送風ファン２４から吐出された空気は、フィルタハウジング１４０及び送風ハウジング１５０に沿って上側の加湿装置２００に流動する。
【００６７】
前記ボディ１３０内部の前記送風ユニット２０の上側には、水槽３０が配置される。前記ボディ１３０は、上側に水槽３０が挿入され得るように、上側から内部に窪んだ水槽挿入空間が形成される。
【００６８】
前記水槽挿入空間の周面には、空気が通過できる加湿流路入口１２３が形成され、前記加湿流路入口１２３は、水槽３０の内部と連通される。本実施形態では、前記加湿流路入口１２３の内側に水分を含有する加湿媒体５０が配置される。
【００６９】
前記水槽３０の内部には、前記水槽３０内部の水を吸入し、吸入された水を上側に揚水し、揚水された水を外側に噴射するウォータリングユニット４０が設けられる。前記水槽３０の下部には、ウォータリングユニット４０の動力源であるウォータリングモータ４２が設けられる。前記ウォータリングモータ４２は、前記送風モータ２２と物理的に分離される。前記送風モータ２２及びウォータリングモータ４２は、独立的に制御されることができる。
【００７０】
前記加湿装置２００は、空気清浄装置１００に分離可能に積層され、透視される材質で形成されたビジュアルボディ２１０と、前記ビジュアルボディ２１０から分離可能に結合されるトップカバーアセンブリ２３０とを備える。本実施形態では、前記トップカバーアセンブリ２３０及びビジュアルボディ２１０間に吐出流路１０７が形成される。前記吐出流路１０７は、加湿流路１０６の下流側と連結される。前記連結流路１０３は、加湿流路１０６の上流側と連結される。前記トップカバーアセンブリ２３０には、外部から水を供給できる給水流路１０９が形成される。
【００７１】
図６〜図１５を参考して、ボディ１３０は、外周面のうち、一側面にフィルタ設置開口部１３３を形成する。フィルタ設置開口部１３３を介してフィルタハウジング１４０の内部空間と外部空間とが連結される。フィルタ設置開口部１３３を介してフィルタハウジング１４０の内部空間にフィルタアセンブリ１０が引き込まれる。
【００７２】
フィルタアセンブリ１０の摺動をガイドするようにフィルタハウジング１４０の内側面の両側にガイド１４２、１４６、１４７が形成され得る。ガイド１４２、１４６、１４７は、フィルタアセンブリ１０を支持する摩擦面を提供する上側面１４６、１４７ａを少なくとも１つ備えることができる。ガイド１４２、１４６、１４７は、フィルタアセンブリ１０を上側から下側に押す下側面１４２を少なくとも１つ備えることができる。ガイド１４２、１４６、１４７は、ローラ１４７ｂまたは軸受を少なくとも１つ備えることができる。ガイド１４２、１４６、１４７は、ドロワ４００の摺動をガイドするドロワガイド１４７を備えることができる。ガイド１４２、１４６、１４７は、メッシュフィルタ３００の摺動をガイドするメッシュフィルタガイド１４６を備えることができる。ガイド１４２、１４６、１４７は、ドロワに定着するフィルタモジュール３５０、４００の上側面の摺動をガイドするフィルタモジュールガイド１４２を備えることができる。（図１４及び図１５参考）
フィルタハウジング１４０の内部空間の左右側面（前記ガイドが配置された側面）は、フィルタアセンブリ１０の左右方向の流動を防ぐ。
【００７３】
空気清浄装置１００は、電気集塵装置５００に電源を供給する電源端子１４８を備える。空気清浄装置１００は、電気集塵装置５００に接地を提供する接地端子１４９を備える。電源端子１４８及び接地端子１４９は、フィルタハウジング１４０の内側面に配置される。
【００７４】
電源端子１４８は、帯電部５１０に電源を供給する帯電部電源端子１４８ａと集塵部５４０に電源を供給する集塵部電源端子１４８ｂとを備えることができる。接地端子１４９は、帯電部５１０に接地を提供する帯電部接地端子１４９ａと集塵部５４０に接地を提供する集塵部接地端子１４９ｂとを備えることができる。
【００７５】
ドロワ４００は、前記フィルタ設置開口部１３３を覆うフィルタカバー４１３を備える。フィルタカバー４１３は、フィルタ設置開口部１３３の高さより所定間隔高く形成された上側延長部４１３ｄを備える。前記上側延長部は、センサホール４１３ａを形成する。
【００７６】
空気清浄装置１００は、ボディ１３０に設けられたセンサモジュール１３５、１３６、１３７を備えることができる。センサモジュール１３５、１３６、１３７は、外部の空気に露出する部分を少なくとも一部含む。センサモジュール１３５、１３６、１３７は、外部空気から所定情報を感知する。センサモジュール１３５、１３６、１３７は、ボディ１３０の内部に配置されることができる。センサモジュール１３５、１３６、１３７は、フィルタ設置開口部１３３の上側に配置されることができる。センサモジュール１３５、１３６、１３７は、フィルタアセンブリ１０がボディ１３０と結合された状態では、フィルタカバー４１３により視覚的に遮られるように配置されることができる。センサモジュール１３５、１３６、１３７は、フィルタカバー４１３の上側延長部４１３ｄの背面側に配置されることができる。センサモジュール１３５、１３６、１３７は、センサホール４１３ａを介して流入した空気から所定情報を感知する。センサモジュール１３５、１３６、１３７で感知された情報に基づいて、前記送風ユニット２０を制御できる。
【００７７】
センサモジュール１３５、１３６、１３７は、外部空気の埃濃度を感知する埃センサ１３５を備えることができる。センサモジュール１３５、１３６、１３７は、外部空気の湿度を感知する湿度センサ１３６を備えることができる。センサモジュール１３５、１３６、１３７は、外部空気の匂いを感知する匂いセンサ１３７を備えることができる。
【００７８】
フィルタ設置開口部１３３の上側部分は、ボディ１３０の外周面がフィルタカバー４１３の上側延長部４１３ｄの厚さに対応する距離の分だけ陥没された陥没部１３４を形成する。ボディケース１３１は、ドロワ４００がフィルタハウジング１４０の内部空間に定着した状態で上側延長部４１３ｄと噛み合うように形成された陥没部１３４を備える。フィルタカバー４１３は、ボディ１３０に結合の際、陥没部１３４と噛み合う。上側延長部４１３ｄは、ボディ１３０に結合の際、前記陥没部１３４と噛み合う。
【００７９】
ドロワ４００がフィルタハウジング１４０の内部空間に定着した（ｓｅｔｔｌｅｍｅｎｔ）状態は、ドロワ４００がフィルタハウジング１４０にそれ以上引き込まれることができない程度に完全に（ｆｕｌｌｙ）引き込まれたことを意味する。ドロワ４００がフィルタハウジング１４０に引き込み中であるか、ドロワ４００がフィルタハウジング１４０から引き出し中である状態は、前記定着した状態ではない。
【００８０】
センサモジュール１３５、１３６、１３７は、複数のセンサを備えることができる。複数のセンサは、横に配列されることができる。前記複数のセンサは、陥没部１３４の後側から横に配列されることができる。
【００８１】
ボディケース１３１は、前記複数のセンサの前に各々ホール１３５ａ、１３６ａ、１３７ａを形成する。陥没部１３４には、それぞれのセンサの前に形成されたそれぞれのホールが横に配置されることができる。
【００８２】
陥没部１３４には、湿度センサホール１３６ａが形成される。湿度センサ１３６は、前記陥没部１３４の後に配置される。湿度センサ１３６は、前記湿度センサホール１３６ａの後に配置される。湿度センサホール１３６ａは、複数個の小さいホールが密集されて形成されることができる。
【００８３】
陥没部１３４には、匂いセンサホール１３７ａが形成される。匂いセンサ１３７は、前記陥没部１３４の後に配置される。匂いセンサ１３７は、前記匂いセンサホール１３７ａの後に配置される。匂いセンサホール１３７ａは、複数個の小さいホールが密集されて形成されることができる。
【００８４】
ボディケース１３１は、埃センサ１３５の内部掃除のための掃除ホール１３５ａを形成する。ボディケース１３１は、埃センサ１３５に空気を流入させるための流入ホール１３５ｂを備える。ボディケース１３１は、埃センサ１３５から空気を流出させるための流出ホール１３５ｃを形成する。流入ホール１３５ｂ、掃除ホール１３５ａ、及び流出ホール１３５ｃは、順に下側から上側に配置される。
【００８５】
埃センサ１３５は、埃センサ１３５に流入した空気に熱を加える加熱部（図示せず）を備えることができる。前記加熱部は、掃除ホール１３５ａが開閉される内部空間に配置されることができる。前記加熱部によって空気が加熱されれば、対流により下側から上側に空気が流動し得る。前記対流によって、下側の流入ホール１３５ｂに空気が流入し、上側の流出ホール１３５ｃに空気が流出する。
【００８６】
埃センサ１３５は、陥没部１３４の後側に配置される。埃センサ１３５は、前記複数のホール１３５ａ、１３５ｂ、１３５ｃの後側に配置される。
【００８７】
フィルタカバー４１３が埃センサ１３５を遮った状態でも外部空気が埃センサ１３５に供給されるように、埃センサ１３５の位置と対応するフィルタカバー４１３の部分にセンサホール４１３ａが形成される。センサホール４１３ａは、流入ホール１３５ｂ及び流出ホール１３５ｃのうち、少なくとも１つと対応する位置で左右方向に長いスリットで形成される。前記複数のセンサは、前記スリットの長さ方向に配列されることができる。
【００８８】
センサホール４１３ａは、流入ホール１３５ｂ及び流出ホール１３５ｃに対応する位置に形成されることができる。センサホール４１３ａは、流入ホール１３５ｂ及び流出ホール１３５ｃに対応する位置に各々形成されることができる。
【００８９】
センサホール４１３ａは、前記複数のセンサが配列された方向に長く形成されることができる。センサホール４１３ａは、水平方向に長く形成されたスリットでありうる。
【００９０】
センサホール４１３ａは、複数個で形成されることができる。センサホール４１３ａは、複数個のスリットが上下に離間して形成されることができる。センサホール４１３ａは、上側に配置された第１のセンサホール４１３ａ１と、下側に配置された第２のセンサホール４１３ａ２とを備える。第１のセンサホール４１３ａ１及び第２のセンサホール４１３ａ２は、並んで形成されることができる。第１のセンサホール４１３ａ１は、横に長く形成されることができる。第２のセンサホール４１３ａ２は、横に長く形成されることができる。第１のセンサホール４１３ａ１は、後側の複数のセンサが配列された方向に沿って長く形成される。第２のセンサホール４１３ａ２は、後側の複数のセンサが配列された方向に沿って長く形成される。第１のセンサホール４１３ａ１は、流出ホール１３５ｃに対応する高さで形成される。第２のセンサホール４１３ａ２は、流入ホール１３５ｂに対応する高さで形成される。
【００９１】
上側延長部４１３ｄは、ドロワ４００の引き出し及び引き込みによって掃除ホール１３５ａを開閉するように備えられることができる。ドロワ４００がフィルタハウジング１４０の内部に定着した状態で、上側延長部４１３ｄの後側面は、掃除ホール１３５ａを閉じる。ドロワ４００がフィルタハウジング１４０から引き出された状態で、上側延長部４１３ｄの後側面は、掃除ホール１３５ａを開ける。
【００９２】
フィルタアセンブリ１０は、空気をろ過するフィルタモジュール５００、３５０を備える。フィルタアセンブリ１０は、フィルタモジュール５００、３５０を支持するドロワ４００を備える。フィルタアセンブリ１０は、メッシュ型の網目間に空気が通過しながら空気中の異物を取り除くメッシュフィルタ３００を備える。
【００９３】
ドロワ４００は、フィルタ設置開口部１３３を介してフィルタハウジング１４０の内部空間から引き出しが可能なように備えられる。フィルタモジュール５００、３５０は、ドロワ４００に定着する。フィルタモジュール５００、３５０は、ドロワ４００とともにフィルタ設置開口部１３３を介してフィルタハウジング１４０の内部空間から引き出しが可能なように備えられる。
【００９４】
ドロワ４００は、フィルタモジュール５００、３５０の少なくとも一部を支持する。ドロワ４００は、フィルタハウジング１４０のドロワガイド１４７に沿って摺動される。ドロワ４００は、空気が通過するドロワ開口部４００ａを形成する。ドロワ開口部４００ａは、水平面上に形成される。吸入流路１０１を介して吸入された空気は、ドロワ開口部４００ａを上下方向に通過する。空気は、下側から上側にドロワ開口部４００ａを通過する。
【００９５】
ドロワ４００は、空気が通過するドロワ開口部を形成するフレーム４１０を備える。ドロワ４００は、フィルタ設置開口部を覆うフィルタカバー４１３を備える。フィルタカバー４１３は、フレーム４１０に結合される。
【００９６】
フレーム４１０は、ドロワ４００の下側に配置されることができる。フィルタカバー４１３は、ドロワ４００の前面に配置される。フレーム４１０は、前端部にフィルタカバー４１３が結合されるように備えられる。フィルタカバー４１３は、下側部にフレーム４１０が結合されるように備えられる。フィルタカバー４１３は、フレーム４１０と垂直方向に延びて形成されることができる。フレーム４１０は、水平面上に配置されることができる。フィルタカバー４１３は、ボディケース１３１の外側面と同一面上に配置されることができる。
【００９７】
フィルタモジュール５００、３５０は、フレーム４１０に分離可能に定着する。フィルタモジュール５００、３５０は、ドロワ開口部４００ａを通過した空気をろ過する。ドロワ４００がフィルタハウジング１４０の内部空間に定着した状態で、空気が上下方向にドロワ開口部４００ａ及びフィルタモジュール５００、３５０を通過するように備えられる。空気は、下側から上側にドロワ開口部４００ａを通過した後、フィルタモジュール５００、３５０を経ながらろ過される。
【００９８】
フィルタモジュール３５０、５００は、互いに分離可能なように積層された複数のフィルタを備えることができる。フィルタモジュール３５０、５００は、電気集塵装置５００を備えることができる。フィルタモジュール３５０、５００は、光触媒フィルタ３５０を備えることができる。
【００９９】
電気集塵装置５００は、空気中の埃粒子を帯電させ、帯電された埃粒子を集塵して空気をろ過する。
【０１００】
光触媒フィルタ３５０は、多孔性のベースに脱臭性能を有した光触媒を塗布して空気中の匂い成分を物理的／化学的に除去する。
【０１０１】
光触媒フィルタ３５０は、ろ過流路１０２の水平断面上に周りを形成する光触媒フィルタフレーム３５３と、光触媒フィルタフレーム３５３により支持される光触媒作用部３５５とを備える。光触媒作用部３５５は、ろ過流路１０２の一部を形成する空隙を有したベース部材に脱臭性能を有した公知の光触媒を塗布することにより製作されることができ、光触媒性質を有した部材に空隙を形成させることにより製作されることもできる。
【０１０２】
前記光触媒は、活性炭を含むことができる。活性炭は、物理的接着力により匂い粒子を光触媒作用部３５５に捕集されるようにすることができる。活性炭またはその他の光触媒を用いて前記匂い粒子を化学的結合により光触媒作用部３５５に捕集されるようにすることができる。光触媒フィルタ３５０をボディ１３０及びフィルタアセンブリ１０から分離して、日光などに露出させることにより光触媒作用部３５５に捕集された匂い粒子を除去できる。
【０１０３】
ドロワ４００は、電気集塵装置５００を支持することができる。電気集塵装置５００は、光触媒フィルタ３５０を支持することができる。メッシュフィルタ３００、電気集塵装置５００、及び光触媒フィルタ３５０は、空気流れ方向Ａを基準に上流から下流に順次配置されることができる。フィルタアセンブリ１０において、最下部にメッシュフィルタ３００が配置され、メッシュフィルタ３００の上側に電気集塵装置５００が配置され、最上部に光触媒フィルタ３５０が配置され得る。
【０１０４】
フィルタモジュール３５０、５００は、ドロワ４００に分離可能に定着することができる。電気集塵装置５００は、ドロワ４００に分離可能に定着することができる。光触媒フィルタ３５０は、電気集塵装置５００の上側に分離可能に定着することができる。
【０１０５】
メッシュフィルタ３００は、ドロワ４００と独立的にフィルタハウジング１４０の内部空間から引き出される。メッシュフィルタ３００は、電気集塵装置５００の流入口５０６が形成された方向に配置される。
【０１０６】
メッシュフィルタ３００は、電気集塵装置５００の下側に配置される。メッシュフィルタ３００は、電気集塵装置５００において帯電部５１０が配置される方向に配置される。メッシュフィルタ３００は、電気集塵装置５００において電気集塵装置５００の流入口５０６が形成された方向に配置される。メッシュフィルタ３００は、電気集塵装置５００と積層されるように備えられる。
【０１０７】
メッシュフィルタ３００は、ドロワ４００の下側に配置される。メッシュフィルタ３００は、ドロワ４００と独立的に引き込みまたは引き出されるように備えられる。メッシュフィルタ３００は、電気集塵装置５００と独立的に引き込みまたは引き出されるように備えられる。電気集塵装置５００とメッシュフィルタ３００のうち、いずれか１つのみがフィルタハウジング１４０内部に引き込まれるか、内部から引き出されることができる。
【０１０８】
メッシュフィルタ３００は、前面を形成するメッシュフィルタカバー３１３を備える。メッシュフィルタ３００及びドロワ４００がフィルタハウジング１４０に定着した状態で、メッシュフィルタカバー３１３は、フィルタカバー４１３の前面と連続する面上の外観を形成する。メッシュフィルタカバー３１３は、上側面上から下側に陥没されたメッシュフィルタカバー取っ手３１３ａを形成する。
【０１０９】
メッシュフィルタ３００及びドロワ４００がフィルタハウジング１４０に定着した状態で、前記メッシュフィルタカバー取っ手３１３ａが外部に露出し得るように、フィルタカバー４１３は、下端のうちの一部が陥没された取っ手露出部４１３ｃを形成する。取っ手露出部４１３ｃは、前面と下側面とが開口する。取っ手露出部４１３ｃは、フィルタカバー４１３の前面から後方に前記メッシュフィルタカバー取っ手３１３ａの後端まで陥没されることができる。ユーザは、取っ手露出部４１３ｃに手を入れてメッシュフィルタカバー取っ手３１３ａに手を掛けることができる。
【０１１０】
メッシュフィルタ３００は、メッシュフィルタカバー３１３の後方の水平面上で前記ろ過流路１０２の周りに配置されるメッシュフレーム３１５を備える。メッシュフィルタ３００は、メッシュフレーム３１５が提供する周りの内側にろ過流路１０２の水平断面を分けるメッシュ補助フレーム３１６を備えることができる。メッシュ補助フレーム３１６は、ろ過流路１０２の水平断面を複数個に分ける。
【０１１１】
メッシュフィルタ３００は、通過する空気中の異物を取り除き、採集するメッシュ３１８を備える。メッシュ３１８は、メッシュフレーム３１５及びメッシュ補助フレーム３１６によって支持される。メッシュ３１８は、メッシュフレーム３１５及びメッシュ補助フレーム３１６と同一平面上に配置される。メッシュ３１８により採集された異物は、メッシュフィルタ３００をボディ１３０から分離して洗浄することにより除去されることができる。
【０１１２】
図１６及び図２１を参考して、フレーム４１０は、フィルタハウジング１４０に対して前後方向に摺動される一対のサイドフレーム４１０ａを備える。一対のサイドフレーム４１０ａは、間隙にドロワ開口部４００ａを形成する。一対のサイドフレーム４１０ａは、前後方向に延びて形成される。フィルタカバー４１３は、一対のサイドフレーム４１０ａの前端部に配置される。一対のサイドフレーム４１０ａは、フィルタモジュール３５０、５００の下側に配置される。一対のサイドフレーム４１０ａは、メッシュフィルタ３００の上側に配置される。
【０１１３】
フレーム４１０は、一対のサイドフレーム４１０ａの後端部間を連結して配置されるリアフレーム４１０ｂを備えることができる。リアフレーム４１０ｂは、左右方向に延びて形成される。リアフレーム４１０ｂの左側端部は、左側のサイドフレーム４１０ａの後端部に結合される。リアフレーム４１０ｂの右側端部は、右側のサイドフレーム４１０ａの後端部に結合される。ドロワ開口部４００ａは、リアフレーム４１０ｂとフィルタカバー４１３との間に形成される。リアフレーム４１０ｂは、フィルタモジュール３５０、５００の下側に配置される。リアフレーム４１０ｂは、メッシュフィルタ３００の上側に配置される。
【０１１４】
フレーム４１０は、一対のサイドフレーム４１０ａの前端部間を連結して配置されるフロントフレーム４１０ｃを備えることができる。フロントフレーム４１０ｃは、フィルタカバー４１３の後面に結合される。フロントフレーム４１０ｃは、左右方向に延びて形成される。フロントフレーム４１０ｃの左側端部は、左側のサイドフレーム４１０ａの前端部に結合される。フロントフレーム４１０ｃの右側端部は、右側のサイドフレーム４１０ａの前端部に結合される。ドロワ開口部４００ａは、リアフレーム４１０ｂとフロントフレーム４１０ｃとの間に形成される。フロントフレーム４１０ｃは、フィルタモジュール３５０、５００の下側に配置される。フロントフレーム４１０ｃは、メッシュフィルタ３００の上側に配置される。
【０１１５】
フレーム４１０は、フィルタモジュール３５０、５００が定着する定着面４１１を形成する。定着面４１１は、フィルタモジュール３５０、５００を支持する上側面を形成する。定着面４１１は、フレーム４１０の左右側に各々形成されることができる。定着面４１１にフィルタモジュール３５０、５００の下側面のうちの一部が接触して、フィルタモジュール３５０、５００が支持される。
【０１１６】
フィルタモジュール３５０、５００は、フレーム４１０に分離可能に定着する。電気集塵装置５００は、フレーム４１０に分離可能に定着することができる。一対のサイドフレーム４１０ａ、リアフレーム４１０ｂ、及びフロントフレーム４１０ｃは、フィルタモジュール３５０、５００が定着する定着面４１１を形成する。一対のサイドフレーム４１０ａは、上側にフィルタモジュール３５０、５００の下側面と接触する第１の定着面４１１ａを形成する。リアフレーム４１０ｂは、上側にフィルタモジュール３５０、５００の下側面と接触する第２の定着面４１１ｂを形成する。フロントフレーム４１０ｃは、上側にフィルタモジュール３５０、５００の下側面と接触する第３の定着面４１１ｃを形成する。定着面４１１は、第１の定着面４１１ａ、第２の定着面４１１ｂ、及び第３の定着面４１１ｃを備えることができる。
【０１１７】
定着面４１１の中央部には、ドロワ開口部４００ａが形成され得る。第１の定着面４１１ａ、第２の定着面４１１ｂ、及び第３の定着面４１１ｃは、ドロワ開口部４００ａを囲んで配置されることができる。定着面４１１の周りに沿って上側に突出されてフィルタモジュール３５０、５００の側面と接触するガイド部材（図示せず）を備えることができる。前記ガイド部材は、フィルタモジュール３５０、５００が定着面４１１に接触できるようにフィルタモジュール３５０、５００の定着動作をガイドする。
【０１１８】
一対のサイドフレーム４１０ａの定着面４１１ａは、リアフレーム４１０ｂの定着面４１１ｂ及びフロントフレーム４１０ｃの定着面４１１ｃのうち、少なくとも１つと高低差を有することができる。一対のサイドフレーム４１０ａの定着面４１１ａは、リアフレーム４１０ｂの定着面４１１ｂより高い位置に配置されることができる。一対のサイドフレーム４１０ａの定着面４１１ａは、フロントフレーム４１０ｃの定着面４１１ｃより高い位置に配置されることができる。フィルタモジュール３５０、５００の下側面は、前記高低差が生じるように形成された複数の定着面４１１ａ、４１１ｂ、４１１ｃに噛み合う形状で形成される。
【０１１９】
フィルタカバー４１３は、前面を形成する前面部４１３１を備える。前面部４１３１は、前記センサホール４１３ａを形成する。前面部４１３１は、取っ手４１３ｂを備える。フィルタカバー取っ手４１３ｂは、前面部４１３１の一部が後側に陥没されて形成されることができる。フィルタカバー取っ手４１３ｂが引っ張られると、ドロワ４００が引っ張られる。フィルタカバー取っ手４１３ｂには、後述する係止解除ボタン４１７ｂが配置され得る。前面部４１３１は、後述する取っ手露出部４１３ｃを形成できる。前面部４１３１は、ボディケース１３１の外側面に延びる形状で形成されることができる。前面部４１３１は、水平断面上から前方に突出されるように撓んだ形状でありうる。前面部４１３１は、上側部に配置された前記上側延長部４１３ｄを備える。
【０１２０】
フィルタカバー４１３は、フィルタモジュール３５０、５００の前方面に接触する後面部４１３２を備える。後面部４１３２は、フィルタカバー４１３の後側面の少なくとも一部を形成する。後面部４１３２は、フィルタモジュール３５０、５００の前方面の位置をガイドする。後面部４１３２は、フィルタモジュール３５０、５００の前方面の形状と対応する形状で形成される。本実施形態においてフィルタモジュール３５０、５００の前方面は、垂直平面を形成し、後面部４１３２の形状も垂直平面を形成する。
【０１２１】
フィルタカバー４１３は、フィルタハウジング１４０の内部上側面を向かい合う上面部４１３３を備えることができる。上面部４１３３は、後面部４１３２と前面部４１３１との間に配置される。上面部４１３３には、後述する係止部４１７ａが配置される。フィルタハウジング１４０は、係止部４１７ａが係止され得るように係止部４１７ａに対応する位置に係止溝１４３を形成する。上面部４１３３の後端は、後面部４１３２の上端に連結されることができる。上面部４１３３の前端は、前面部４１３１の後面に連結される。上面部４１３３の前端は、上側延長部４１３ｄの下端に連結される。
【０１２２】
図９を参考して、ドロワ４００は、ドロワ４００がフィルタハウジング１４０の内部に定着して係止されるようにする係止装置４１７を備える。係止装置４１７は、ドロワ４００がフィルタハウジング１４０の内部に定着した状態でドロワ４００を固定させる。係止装置４１７は、フィルタカバー４１３に配置されることができる。
【０１２３】
係止装置４１７は、ドロワ４００がフィルタハウジング１４０の内部空間に定着した状態でフィルタハウジング１４０に係止される係止部４１７ａを備える。係止部４１７ａは、上面部４１３３に配置される。前記係止溝１４３は、フィルタハウジング１４０の内部空間の上側面に形成される。係止部４１７ａは、上側に突出されて形成される。係止部４１７ａの上端は、上面部４１３３より高い位置に配置される。係止部４１７ａの後側面は、下側へ行くほど、後側に近づく傾斜面を形成する。ドロワ４００が後側方向に引き込まれる過程で前記傾斜面は、フィルタ設置開口部１３３の上端に押されて、係止部４１７ａが下側に移動するようになる。ドロワ４００がフィルタハウジング１４０の内部空間に定着した状態で、係止部４１７ａは、前記係止溝１４３に挿入されて上側に移動するようになる。係止部４１７ａが係止溝１４３に挿入されれば、ドロワ４００を前方に引っ張ってもドロワ４００が引き出されなくなる。
【０１２４】
係止部４１７ａが係止溝１４３に挿入された状態で、係止装置４１７は、係止を解除するために、係止部４１７ａを下側に移動させる係止解除ボタン４１７ｂを備えることができる。係止部４１７ａは、係止部４１７ａの係止を解除させる。係止部４１７ａと係止解除ボタン４１７ｂとは構造的に連結される。係止解除ボタン４１７ｂが押されると、係止部４１７ａが下側に移動するように備えられることができる。係止解除ボタン４１７ｂは、下側に押されるように形成されることができる。係止解除ボタン４１７ｂは、フィルタカバー取っ手４１３ｂの下側面に配置されることができる。
【０１２５】
係止装置４１７は、下側に押される場合、上側に復元力を加える弾性部４１７ｃを備えることができる。弾性部４１７ｃは、係止解除ボタン４１７ｂの下側に配置されることができる。弾性部４１７ｃは、係止解除ボタン４１７ｂの下側面を支持して配置されることができる。
【０１２６】
図１４、図１５、図１７〜図２０、図２２、及び図２３を参考して、フィルタハウジング１４０とドロワ４００との間の摺動構造、及びフィルタハウジング１４０とメッシュフィルタ３００との間の摺動構造を説明すれば、次のとおりである。
【０１２７】
フィルタハウジング１４０は、フィルタハウジング１４０の両側に各々配置される一対のドロワガイド１４７を備える。一対のドロワガイド１４７は、フレーム４１０の引き出し及び引き込みをガイドする。ドロワ４００は、フレーム４１０の両側に各々配置される一対のスライダ４１４を備える。一対のスライダ４１４は、一対のドロワガイド１４７に沿って移動される。スライダ４１４は、ドロワガイド１４７により移動可能に支持される。スライダ４１４は、一対のサイドフレーム４１０ａの下側に形成される。
【０１２８】
ドロワガイド１４７は、レール部１４７ａを備えることができる。ドロワガイド１４７は、ローラ１４７ｂを備えることができる。レール部１４７ａは、前後方向に延びて形成されることができる。レール部１４７ａは、スライダ４１４に接触する上側面を形成する。ローラ１４７ｂは、ドロワガイド１４７の前端部に配置されることができる。ローラ１４７ｂの回転軸の方向は、左右方向である。ドロワガイド１４７のローラ１４７ｂは、スライダ４１４のレール部４１４ａに接触する。
【０１２９】
スライダ４１４は、レール部４１４ａを備えることができる。スライダ４１４は、ローラ４１４ｂを備えることができる。レール部４１４ａは、前後方向に延びて形成されることができる。レール部４１４ａは、ドロワガイド１４７に接触する下側面を形成する。ローラ４１４ｂは、スライダ４１４の後端部に配置されることができる。ローラ４１４ｂの回転軸の方向は、左右方向である。スライダ４１４のローラ４１４ｂは、ドロワガイド１４７のレール部１４７ａに接触する。
【０１３０】
ローラ４１４ｂは、レール部１４７ａに沿って前後方向に移動可能である。レール部１４７ａは、ローラ４１４ｂの下側を支持する。レール部４１４ｂは、ローラ１４７ｂにより前後方向に移動可能である。ローラ１４７ｂは、レール部４１４ｂを支持する。
【０１３１】
フィルタハウジング１４０は、フィルタモジュール３５０、５００がドロワ４００とともに引き出し及び引き込まれるとき、フィルタモジュール３５０、５００の上側面の移動をガイドするフィルタモジュールガイド１４２を備える。フィルタハウジング１４０は、フィルタハウジング１４０の両側に各々配置される一対のフィルタモジュールガイド１４２を備える。フィルタモジュールガイド１４２は、フィルタハウジング１４０の内部上側に配置される。フィルタモジュールガイド１４２は、フィルタモジュール３５０、５００の上側面に接触する下側面を形成する。
【０１３２】
ドロワ４００がフィルタハウジング１４０の内部に定着した状態で、ローラ１４７ｂの支持点は、前方に位置するようになり、レール部１４７ａの支持点は、後方に位置するようになる。支持点が前後方向に離間して、ドロワ４００は、安定的に支持される。
【０１３３】
ドロワ４００がフィルタハウジング１４０から引き出される過程で、ローラ１４７ｂの支持点は位置を維持するが、ローラ４１４ｂが前方に移動しながらレール部１４７ａの支持点は前方に移動するようになる。ローラ１４７ｂの支持点とレール部１４７ａの支持点との間の離間距離が狭くなり、ドロワ４００の前方部分が支持点無しで突出される。ドロワ４００に電気集塵装置５００及び光触媒フィルタ３５０が定着しているならば、光触媒フィルタ３５０の上側面がフィルタハウジング１４０のフィルタモジュールガイド１４２に接触して、ドロワ４００の前方が下側に回転されることを防ぐ。
【０１３４】
フィルタハウジング１４０は、メッシュフィルタ３００の引き出し及び引き込みをガイドするメッシュフィルタガイド１４６を備える。フィルタハウジング１４０は、フィルタハウジング１４０の両側に各々配置される一対のメッシュフィルタガイド１４６を備える。メッシュフィルタ３００は、メッシュフィルタ３００をフィルタハウジング１４０に対して前後方向に移動可能なようにする摺動部３１５ａを備える。メッシュフィルタ３００は、メッシュフレーム３１５の両側に各々配置される一対の摺動部３１５ａを備える。
【０１３５】
摺動部３１５ａは、メッシュフレーム３１５の下側に形成される。摺動部３１５ａは、メッシュフィルタガイド１４６に接触する下側面を提供する。メッシュフィルタガイド１４６は、摺動部３１５ａの移動をガイドするメッシュフィルタガイド１４６が備えられる。メッシュフィルタガイド１４６は、摺動部３１５ａと接触する上側面を提供する。摺動部３１５ａの下側面は、メッシュフィルタガイド１４６の上側面を摺動しながら前後方向に移動することができる。
【０１３６】
下側から眺めるとき、摺動部３１５ａは、一対のスライダ４１４の間に配置される。一側の摺動部３１５ａは、同じ側のスライダ４１４より内側に配置される。上側から眺めるとき、メッシュフィルタガイド１４６は、前記フィルタハウジングの内部で一対のドロワガイド１４７間に配置される。一側のメッシュフィルタガイド１４６は、同じ側のドロワガイド１４７より内側に配置される。
【０１３７】
メッシュフィルタガイド１４６は、ドロワガイド１４７より低く配置される。一対のメッシュフィルタガイド１４６間に吸入流路１０１と連結される吸入口１１１が形成される。
【０１３８】
ドロワガイド１４７及びスライダ４１４のうち、いずれか１つは、ローラ１４７ｂ、４１４ｂを備え、ドロワガイド１４７及びスライダ４１４のうち、他の１つは、ローラ１４７ｂ、４１４ｂが接触するレール部４１４ａ、１４７ａを備える。以下に説明する第１の区間部及び第２の区間部は、本実施例のように、スライダ４１４のレール部４１４ａに備えられることができるが、他の実施形態においてドロワガイド１４７のレール部１４７ａに備えられても同じ機能を発揮できる。以下、本実施形態を説明するが、これは、第１の区間部及び第２の区間部がドロワガイド１４７のレール部１４７ａに備えられた他の実施形態まで説明される。
【０１３９】
図２２及び図２３を参考して、レール部４１４ａは、ドロワ４００がフィルタハウジング１４０の内部空間に引き込まれ始めるとき、ローラ１４７ｂに接触される第１の地点ｐ１から所定地点ｐ２まで平坦面を形成する第１の区間部４１４ａ１を備える。レール部４１４ａは、所定地点ｐ１からドロワ開口部４００ａの前端４００ａ１がフィルタハウジング１４０の内部空間に引き込まれる前にローラ１４７ｂに接触される第２の地点ｐ２まで平坦面を形成する第１の区間部４１４ａ１を備える。レール部４１４ａは、ドロワ４００がフィルタハウジング１４０の内部空間に引き込まれ始めるとき、ローラ１４７ｂに接触される第１の地点ｐ１からドロワ開口部４００ａの前端４００ａ１がフィルタハウジング１４０の内部空間に引き込まれる前にローラ１４７ｂに接触される第２の地点ｐ２まで平坦面を形成する第１の区間部４１４ａ１を備える。
【０１４０】
図２２及び図２３を参考して、レール部４１４ａは、前記第２の地点ｐ２からドロワ４００がフィルタハウジング１４０の内部空間に定着した状態でローラ１４７ｂに接触される第３の地点ｐ３まで、フレーム４１０を上側に引き上げるように第１の区間部４１４ａ１と異なる高さを有した第２の区間部４１４ａ２、４１４ａ３を備える。第２の区間部４１４ａ２、４１４ａ３は、ドロワ４００を上側に引き上げるように第１の区間部４１４ａ１と異なる高さを有する。第１の区間部４１４ａ１及び第２の区間部４１４ａ２、４１４ａ３がスライダ４１４に形成された本実施形態において、第２の区間部４１４ａ２、４１４ａ３の下側面は、第１の区間部４１４ａ１の下側面より低い位置に配置される。前記第１の区間部及び第２の区間部がドロワガイド１４７に形成された他の実施形態において、前記第２の区間部の上側面は、前記第１の区間部の上側面より高い位置に配置される。
【０１４１】
これにより、フィルタモジュール３５０、５００が定着したドロワ４００がフィルタハウジング１４０の内部空間に引き込まれ始めるときには、フィルタモジュール３５０、５００が定着したドロワ４００の上下方向遊びが十分あるようにして、挿入開始動作を便利にするという効果がある。
【０１４２】
さらに、ドロワ開口部４００ａの前端４００ａ１がフィルタハウジング１４０の内部空間に引き込まれる時点には、フィルタモジュール３５０、５００が定着したドロワ４００がフィルタハウジング１４０の上側面に最大限密着するようにし、ドロワの前端部が下側に傾く現象を防ぐ。これにより、ドロワ開口部４００ａの前端４００ａ１が下側のメッシュフィルタ３００１の前端（または、フィルタ設置開口部の前端）に衝突しないようにするという効果がある。
【０１４３】
さらに、ドロワ４００がフィルタハウジング１４０の内部空間に定着した状態では、フィルタモジュール３５０、５００が定着したドロワ４００を上側に引き上げて、ドロワ４００とフィルタハウジング１４０内側面との間の上下方向遊びを減らす。これにより、ドロワ４００の定着状態が正確に維持され得るようにし、ドロワ４００とフィルタハウジング１４０との間の間隙を所定程度に制限し、電気的端子間の接触が正確になされるという効果がある。
【０１４４】
図２２及び図２３を参考して、第２の区間部４１４ａ２、４１４ａ３は、第１の区間部４１４ａ１の高さと相対的に大きい高低差を有し、第２の地点ｐ２に相対的に近い位置に配置される第１の高さ形成部４１４ａ２と、第１の区間部４１４ａ１の高さと相対的に小さい高低差を有し、第３の地点ｐ３に相対的に近い位置に配置される第２の高さ形成部４１４ａ３とを備えることができる。第２の区間部４１４ａ２、４１４ａ３がスライダ４１４に形成された本実施形態において、第１の高さ形成部４１４ａ２の下側面は、第２の高さ形成部４１４ａ３の下側面より低い位置に配置される。前記第２の区間部がドロワガイド１４７に形成された他の実施形態において、前記第１の高さ形成部の上側面は、前記第２の高さ形成部の上側面より高い位置に配置される。
【０１４５】
第２の区間部４１４ａ２、４１４ａ３は、第２の地点ｐ２を始めとして第３の地点ｐ３方向に傾斜した傾斜面を備える。第１の高さ形成部４１４ａ２は、第２の地点ｐ２を始めとして第３の地点ｐ３方向に傾斜した傾斜面を備える。第１の高さ形成部４１４ａ２は、第１の高さ形成部４１４ａ２と第２の高さ形成部４１４ａ３とが接する地点を始めとして第２の地点ｐ２方向に傾斜した傾斜面を備える。
【０１４６】
図１７〜図２０を参考して、ドロワ４００は、フィルタハウジング１４０の内側面とドロワ４００の外側面との間の遊びを減らす遊び防止部４１２を備えることができる。遊び防止部４１２は、ドロワ４００が引き出される方向と垂直な方向に突出される。ドロワ４００が引き出される方向が前後方向である場合、ドロワ４００が引き出される方向と垂直な方向は、上下方向または左右方向でありうる。遊び防止部４１２は、フレーム４１０から突出されて、前後方向に延びたリブ形状で形成されることができる。
【０１４７】
遊び防止部４１２は、ドロワ４００が引き出される方向と垂直な方向の両側面のうち、少なくともいずれか１つから突出されたサイド遊び防止部４１２ａを備えることができる。サイド遊び防止部４１２ａは、フィルタハウジング１４０の内側面とドロワ４００の両側面との間の遊びを減らす。一対のサイドフレーム４１０ａは、各々フィルタハウジング１４０の側面に向かって突出された一対のサイド遊び防止部４１２ａを備えることができる。サイド遊び防止部４１２ａは、サイドフレーム４１０ａからフィルタハウジング１４０の側面に突出されて前後方向に延びたリブ形状で形成されることができる。
【０１４８】
遊び防止部４１２は、上下方向に突出された上下遊び防止部４１２ｂを備えることができる。上下遊び防止部４１２ｂは、フィルタハウジング１４０の内側面とドロワ４００の外側面との間の上下方向遊びを減らす。一対のサイドフレーム４１０ａは、各々ドロワガイド１４７に向かって下側に突出された一対の上下遊び防止部４１２ｂを備えることができる。上下遊び防止部４１２ｂは、サイドフレーム４１０ａから下側に突出されて前後方向に延びたリブ形状で形成されることができる。前記第２の区間部４１４ａ２、４１４ａ３は、上下遊び防止部４１２ｂと同じ構成を指すこととみなすことができる。
【０１４９】
遊び防止部４１２は、ドロワ４００がフィルタハウジング１４０の内部空間に定着した状態でフィルタハウジング１４０の内側面に接触し、ドロワ４００がフィルタハウジング１４０から引き出される途中にフィルタハウジング１４０の内側面との接触が解除されるように備えられる。すなわち、遊び防止部４１２は、サイドフレーム４１０ａの上下方向区間のうち、一部区間のみで形成される。これにより、ドロワ４００をフィルタ設置開口部１３３に挿入させる初期動作時には、遊びをおいて便利にしながらも、ドロワ４００がフィルタハウジング１４０の内部空間に定着した状態では、遊びを減らしてドロワ４００が正確な位置に安定的に定着させるという効果がある。
【０１５０】
遊び防止部４１２は、ドロワ４００がフィルタハウジング１４０の内部空間に引き込まれながら次第に遊びが減るように、突出部分が傾斜して形成された傾斜部を備えることができる。
【０１５１】
遊び防止部４１２は、ドロワ４００がフィルタハウジング１４０の内部空間に定着した状態でフィルタハウジング１４０の内部空間に挿入される部分のうち、前方側に配置される。遊び防止部４１２は、フレーム４１０の前方側に配置される。遊び防止部４１２は、サイドフレーム４１０ａの前方側に配置される。
【０１５２】
図７〜図１０を参考して、電気集塵装置５００は、空気中の埃粒子を帯電させる帯電部５１０と、帯電部５１０で帯電された埃粒子を集塵する集塵部５４０と、帯電部５１０及び集塵部５４０を内部に収容するケース５０１、５０２とを備える。ケース５０１、５０２は、電気集塵装置５００の外観を形成できる。帯電部５１０は、下側に配置され、集塵部５４０は、上側に配置されることができる。
【０１５３】
ケース５０１、５０２には、電気集塵装置５００をドロワ４００から分離させて持ち上げることができるように、電気集塵装置取っ手５０３が形成される。電気集塵装置取っ手５０３は、ケース５０１、５０２の左右側面に一対で形成されることができる。電気集塵装置取っ手５０３は、ケース５０１、５０２の表面が陥没されて形成されることができる。
【０１５４】
ケース５０１、５０２は、内部に帯電部５１０を収容する空間を形成する帯電ケース５０１、及び内部に集塵部５４０を収容する空間を形成する集塵ケース５０２を備えることができる。帯電ケース５０１は、下側に配置され、集塵ケース５０２は、上側に配置されることができる。ケース５０１、５０２は、帯電部５１０を収容する前記空間と集塵部５４０を収容する前記空間とが互いに連結されるように形成される。
【０１５５】
本実施形態では、帯電ケース５０１は、下部に配置され、集塵ケース５０２は、上部に配置され、帯電部５１０は、下部に配置され、集塵部５４０は、帯電部５１０の上側に配置されるが、必ずこれに限定されない。
【０１５６】
ケース５０１、５０２は、埃粒子を備える空気が流入する流入口５０６を形成し、ケース５０１、５０２内部の空気が外部に流出する流出口５０７を形成する。ケース５０１、５０２は、流入口５０６を複数個で形成することができる。ケース５０１、５０２は、流出口５０７を複数個で形成することができる。本実施形態において、流入口５０６は、帯電ケース５０１の下側面に形成され、流出口５０７は、集塵ケース５０２の上側面に形成される。
【０１５７】
全体的な空気流れ方向Ａを説明すれば、次のとおりである。ケース吸入流路１０１を介して外部から前記空気調和機内部に流入した空気は、ろ過流路１０２に流入する。ろ過流路１０２に流入した空気は、前記メッシュ３１８を通過した後、ドロワ開口部４００ａを通過する。ドロワ開口部４００ａを通過した空気は、電気集塵装置の流入口５０６を介してケース５０１、５０２内部に流入する。ケース５０１、５０２内部空間に流入した空気は、帯電部５１０及び集塵部５４０を順次通過した後、流出口５０７を介して上側に流動する。上側に流動した空気は、光触媒作用部３５５を通過する。
【０１５８】
他の実施形態において、各構成要素の配置が変わることができ、各構成要素が横に配置されることもできるが、この場合にも空気は、帯電部５１０から集塵部５４０へ向かう方向になるように設定される。
【０１５９】
図２６を参考して、帯電部５１０は、高電圧が印加されるワイヤ放電極５２１、及びワイヤ放電極５２１と離間する対向電極板５２３を備えることができる。前記高電圧は、ワイヤ放電極５２１と対向電極板５２３との間の電圧が極めて大きく、ワイヤ放電極５２１で放電が起こる程度の数値である。
【０１６０】
対向電極板５２３は、複数個で配置されることができる。対向電極板５２３は、ワイヤ放電極５２１を隔てて互いに向かい合って離間して配置されることができる。
【０１６１】
ワイヤ放電極５２１は、複数個で配置されることができる。ワイヤ放電極５２１は、複数個が互いに並んで離間して配置されることができる。複数個のワイヤ放電極５２１間に対向電極板５２３がワイヤ放電極５２１が配列された方向と垂直に配置され得る。
【０１６２】
図２６では、例示的に数個のワイヤ放電極５２１と数個の対向電極板５２３とが空気流れ方向Ａと垂直方向Ｘに交互に離間配置されるが、より多くの個数のワイヤ放電極５２１及び対向電極板５２３が交互に配置されることができる。
【０１６３】
ワイヤ放電極５２１及び対向電極板５２３は、帯電ケース５０１に固定されることができる。複数のワイヤ放電極５２１及び複数の対向電極板５２３の間隔を維持させる間隔維持構造（図示せず）が備えられ得る。
【０１６４】
ワイヤ放電極５２１に電圧が印加される場合、ワイヤ放電極５２１と対向電極板５２３との間にコロナ放電が発生される。空気中の埃粒子は、帯電部５１０を通過しながら帯電される。
【０１６５】
図２７を参考して、集塵部５４０は、帯電された埃粒子を集塵する電極５４０ａを備える。集塵部５４０は、電場を発生させて帯電された埃粒子を集塵する複数の電極５４１、５４２を備える。電極５４０ａは、幅と長さと厚さとを有した薄い板形で形成されることができる。電極５４０ａは、電極型で形成されることができる。
【０１６６】
電極５４１、５４２は、相対的に高電位が印加される高電位電極５４１と、高電位電極５４１に対して相対的に低電位が印加される低電位電極５４２とを備える。複数の高電位電極５４１及び複数の低電位電極５４２は、長さ方向Ｙが一致するように並んで配置されることができる。
【０１６７】
電極５４１、５４２は、互いに面を向かい合って間隙Ｓを形成するように複数で配列される。幅方向Ｚ及び長さ方向Ｙに垂直な方向Ｘに複数の高電位電極５４１及び複数の低電位電極５４２が交互に間隙Ｓを形成して配置される。
【０１６８】
図２４〜図２７を参考して、電気集塵装置５００の回路の構成を説明すれば、次のとおりである。
【０１６９】
ボディ１３０は、帯電部５１０及び集塵部５４０に電源を供給する電源端子１４８ａ、１４８ｂを備える。ボディ１３０は、帯電部５１０及び集塵部５４０に接地を供給する接地端子１４９ａ、１４９ｂを備える。電源端子１４８ａ、１４８ｂは、フィルタハウジング１４０に配置される。接地端子１４９ａ、１４９ｂは、フィルタハウジング１４０に配置される。
【０１７０】
電源端子１４８ａ、１４８ｂは、帯電部５１０に電源を供給する帯電部電源端子１４８ａと、集塵部５４０に電源を供給する集塵部電源端子１４８ｂとを備えることができる。接地端子１４９ａ、１４９ｂは、帯電部５１０に接地を提供する帯電部接地端子１４９ａと、集塵部５４０に接地を提供する集塵部接地端子１４９ｂとを備えることができる。
【０１７１】
ボディ１３０は、高電圧を発生させる高電圧発生器５８１を備える。ボディ１３０は、帯電部５１０に印加される高電圧を発生させる高電圧発生器５８１ａを備える。ボディ１３０は、集塵部５４０に印加される高電圧を発生させる高電圧発生器５８１ｂを備える。高電圧発生器５８１ａは、電源端子１４８ａ、１４８ｂと電気的に連結される。
【０１７２】
本実施形態において、前記高電圧発生器５８１ａと高電圧発生器５８１ｂとは、１つの高電圧発生器５８１を指し、高電圧発生器５８１で帯電部５１０及び集塵部５４０に各々並列に電源を印加する線路を構成する。ボディ１３０は、高電圧発生器５８１に電源を印加する電源供給線５８５を備える。
【０１７３】
電気集塵装置５００は、電源端子１４８ａ、１４８ｂ及び接地端子１４９ａ、１４９ｂに各々対応して接触する電源収容端子５１８、５４８及び接地収容端子５１９、５４９を備える。電源収容端子５１８、５４８は、電気集塵装置５００に配置される。接地収容端子５１９、５４９は、電気集塵装置５００に配置される。
【０１７４】
フィルタハウジング１４０には、高電圧発生器５８１と連結されて帯電部５１０及び集塵部５４０に電源を供給する電源端子１４８ａ、１４８ｂが配置される。ボディ１３０には、接地５８２と連結されて帯電部５１０及び集塵部５４０に接地を提供する接地端子１４９ａ、１４９ｂが配置される。
【０１７５】
フィルタハウジング１４０には、高電圧発生器５８１ａと連結されて帯電部５１０に電源を供給する帯電部電源端子１４８ａが配置される。フィルタハウジング１４０には、高電圧発生器５８１ｂと連結されて集塵部５４０に電源を供給する集塵部電源端子１４８ｂが配置される。フィルタハウジング１４０には、接地５８２ａと連結されて帯電部５１０に接地を提供する帯電部接地端子１４９ａが配置される。フィルタハウジング１４０には、接地５８２ｂと連結されて集塵部５４０に接地を提供する集塵部接地端子１４９ｂが配置される。
【０１７６】
ケース５０１、５０２の外側面には、電源端子１４８ａ、１４８ｂと接触して帯電部５１０及び集塵部５４０に電源を連結させる電源収容端子５１８、５４８が配置される。ケース５０１、５０２の外側面には、接地端子１４９ａ、１４９ｂと接触して帯電部５１０及び集塵部５４０に接地を電気的に連結させる接地収容端子５１９、５４９が配置される。
【０１７７】
電源収容端子５１８、５４８は、帯電部電源収容端子５１８及び集塵部電源収容端子５４８を備える。接地収容端子５１９、５４９は、帯電部接地収容端子５１９及び集塵部接地収容端子５４９を備える。
【０１７８】
ケース５０１、５０２の外側面には、帯電部電源端子１４８ａと接触して帯電部５１０に電源を連結させる帯電部電源収容端子５１８が配置される。ケース５０１、５０２の外側面には、集塵部電源端子１４８ｂと接触して集塵部５４０に電源を連結させる集塵部電源収容端子５４８が配置される。ケース５０１、５０２の外側面には、帯電部接地端子１４９ａと接触して帯電部５１０に接地を電気的に連結させる帯電部接地収容端子５１９が配置される。ケース５０１、５０２の外側面には、集塵部接地端子１４９ｂと接触して集塵部５４０に接地を電気的に連結させる集塵部接地収容端子５４９が配置される。
【０１７９】
電気集塵装置５００において、電源収容端子５１８、５４８が配置された側面は、接地収容端子５１９、５４９が配置された側面と互いに反対される。電気集塵装置５００において、帯電部電源収容端子５１８及び集塵部電源収容端子５４８が配置された側面は、帯電部接地収容端子５１９及び集塵部接地収容端子５４９が配置された側面と互いに反対される。
【０１８０】
帯電部電源収容端子５１８及び集塵部電源収容端子５４８は、同一水平平面上に互いに大角方向に離間して配置されることができる。帯電部接地収容端子５１９及び集塵部接地収容端子５４９は、同一水平平面上に互いに大角方向に離間して配置されることができる。
【０１８１】
ドロワ４００がフィルタハウジング１４０の内部空間に引き込まれたときに、電源端子１４８ａ、１４８ｂと電源収容端子５１８、５４８とが互いに接触し、接地端子１４９ａ、１４９ｂと接地収容端子５１９、５４９とが互いに接触する。電気集塵装置５００を定着させたドロワ４００がフィルタハウジング１４０の内部空間に定着した（ｓｅｔｔｌｅｍｅｎｔ）状態で、電源端子１４８ａ、１４８ｂと電源収容端子５１８、５４８とが互いに接触し、接地端子１４９ａ、１４９ｂと接地収容端子５１９、５４９とが互いに接触する。
【０１８２】
ケース５０１、５０２の外側面のうち、帯電部接地端子１４９ａ及び集塵部接地端子１４９ｂと各々対応する地点に、各々帯電部接地収容端子５１９及び集塵部接地収容端子５４９が備えられる。
【０１８３】
ケース５０１、５０２の外側面のうち、帯電部電源収容端子５１８及び集塵部電源収容端子５４８が配置された側面は、帯電部接地収容端子５１９及び集塵部接地収容端子５４９が配置された側面と互いに反対側でありうる。ケース５０１、５０２の左右側面には、前記電源収容端子５１８、５４８及び前記接地収容端子５２９、５４９が各々配置され得る。帯電部電源収容端子５１８及び集塵部電源収容端子５４８は、ケース５０１、５０２の同一側面上に配置されることができる。帯電部接地収容端子５１９及び集塵部接地収容端子５４９は、ケース５０１、５０２の同一側面上に配置されることができる。
【０１８４】
具体的に、ケース５０１、５０２がボディ１３０に定着した状態でのみ前記電源端子１４８ａ、１４８ｂ及び前記接地端子１４９ａ、１４９ｂが各々電源収容端子５１８、５４８及び接地収容端子５１９、５４９と接触されるように、電源収容端子５１８、５４８及び接地収容端子５１９、５４９が配置される。
【０１８５】
電源端子１４８ａ、１４８ｂは、フィルタハウジング１４０の内側面のうち、ドロワ４００が引き込み及び引き出される方向と垂直方向の側面に配置される。接地端子１４９ａ、１４９ｂは、フィルタハウジング１４０の内側面のうち、ドロワ４００が引き込み及び引き出される方向と垂直方向の側面に配置される。
【０１８６】
電源端子１４８ａ、１４８ｂは、フィルタハウジング１４０の両側の内側面のうち、いずれか１つに配置される。接地端子１４９ａ、１４９ｂは、フィルタハウジング１４０の両側の内側面のうち、他の１つに配置される。接地端子１４９ａ、１４９ｂは、フィルタハウジング１４０の内側面のうち、電源端子１４８ａ、１４８ｂが配置された側面の反対側面に配置されることができる。
【０１８７】
帯電部電源端子１４８ａ及び集塵部電源端子１４８ｂは、ボディ１３０の両側の内側面のうち、同じ側面上に配置されることができる。帯電部接地端子１４９ａ及び集塵部接地端子１４９ｂは、ボディ１３０の内側面のうち、同じ側面上に配置されることができる。
【０１８８】
ドロワ４００がフィルタハウジング１４０の内部空間に定着した状態になると、帯電部電源端子１４８ａと帯電部電源収容端子５１８とが接触し、帯電部接地端子１４９ａと帯電部接地収容端子５１９とが接触する。この場合、帯電部５１０に高電圧が印加される。
【０１８９】
ドロワ４００がフィルタハウジング１４０の内部空間に定着した状態になると、集塵部電源端子１４８ｂと集塵部電源収容端子５４８とが接触し、集塵部接地端子１４９ｂと集塵部接地収容端子５４９とが接触する。この場合、集塵部５４０に高電圧が印加される。
【０１９０】
ドロワ４００がフィルタハウジング１４０の内部空間から引き出された状態になると、帯電部電源端子１４８ａと帯電部電源収容端子５１８とが分離され、帯電部接地端子１４９ａと帯電部接地収容端子５１９とが分離されて、帯電部５１０に電圧印加が遮断される。
【０１９１】
ドロワ４００がフィルタハウジング１４０の内部空間から引き出された状態になると、集塵部電源端子１４８ｂと集塵部電源収容端子５４８とが分離され、集塵部接地端子１４９ｂと集塵部接地収容端子５４９とが分離されて、集塵部５４０に電圧印加が遮断される。
【０１９２】
電気集塵装置５００は、対向電極板５２３と接地５８２ａとを電気的に連結する接地線５８３ａを備える。電気集塵装置５００は、ワイヤ放電極５２１と高電圧発生器５８１ａとを電気的に連結する高電圧線５８４ａを備える。
【０１９３】
帯電部電源端子１４８ａ及び帯電部電源収容端子５１８は、高電圧線５８４ａ上に配置される。帯電部電源端子１４８ａ及び帯電部電源収容端子５１８は、高電圧線５８４ａを電気的に開閉させるスイッチ機能をする。帯電部接地端子１４９ａ及び帯電部接地収容端子５１９は、接地線５８３ａ上に配置される。帯電部接地端子１４９ａ及び帯電部接地収容端子５１９は、接地線５８３ａを電気的に開閉させるスイッチ機能をする。
【０１９４】
電気集塵装置５００は、低電位電極５４２と接地５８２ｂとを電気的に連結させる接地線５８３ｂを備える。電気集塵装置５００は、高電位電極５４１と高電圧発生器５８１ｂとを電気的に連結させる高電圧線５８４ｂを備える。
【０１９５】
集塵部電源端子１４８ｂ及び集塵部電源収容端子５４８は、高電圧線５８４ｂ上に配置される。集塵部電源端子１４８ｂ及び集塵部電源収容端子５４８は、高電圧線５８４ｂを電気的に開閉させるスイッチ機能をする。集塵部接地端子１４９ｂ及び集塵部接地収容端子５４９は、接地線５８３ｂ上に配置される。集塵部接地端子１４９ｂ及び集塵部接地収容端子５４９は、接地線５８３ｂを電気的に開閉させるスイッチ機能をする。
【０１９６】
図１１〜図１３を参考して、帯電部電源端子１４８ａ及び集塵部電源端子１４８ｂは、フィルタアセンブリ１０が摺動する方向に対して垂直な面上に配置される。帯電部接地端子１４９ａ及び集塵部接地端子１４９ｂは、フィルタアセンブリ１０が摺動する方向に対して垂直な面上に配置される。
【０１９７】
帯電部電源収容端子５１８及び集塵部電源収容端子５４８は、フィルタアセンブリ１０が摺動する方向に対して垂直な面上に配置される。帯電部接地収容端子５１９及び集塵部接地収容端子５４９は、フィルタアセンブリ１０が摺動する方向に対して垂直な面上に配置される。
【０１９８】
帯電部電源端子１４８ａ及び集塵部電源端子１４８ｂは、ドロワ４００が引き込み及び引き出される方向の垂直方向に対して位置差があるように配置される。帯電部接地端子１４９ａ及び集塵部接地端子１４９ｂは、ドロワ４００が引き込み及び引き出される方向の垂直方向に対して位置差があるように配置される。
【０１９９】
電気集塵装置５００が引き込み及び引き出される方向は、前後方向でありうる。この場合、帯電部電源端子１４８ａ及び集塵部電源端子１４８ｂは、フィルタハウジング１４０の同一内側面上で互いに異なる高さに配置される。帯電部接地端子１４９ａ及び集塵部接地端子１４９ｂは、フィルタハウジング１４０の同一内側面上で互いに異なる高さに配置される。帯電部電源収容端子５１８及び集塵部電源収容端子５４８は、電気集塵装置５００の同一側面上で互いに異なる高さに配置される。帯電部接地収容端子５１９及び集塵部接地収容端子５４９は、電気集塵装置５００の同一側面上で互いに異なる高さに配置される。
【０２００】
ドロワ４００の引き出し及び引き込みによる帯電部電源収容端子５１８の前後方向移動経路及び集塵部電源収容端子５４８の前後方向移動経路上で、帯電部電源収容端子５１８は、帯電部電源端子１４８ａのみ接触し、集塵部電源収容端子５４８は、集塵部電源端子１４８ｂのみ接触するように、帯電部電源端子１４８ａ及び集塵部電源端子１４８ｂは、高低差が生じるように配置されることができる。
【０２０１】
電気集塵装置５００が引き込み及び引き出す過程で互いに対応しない端子同士に接触することを防止して、摩擦による摩耗現象を減らし、所望しない電源の印加を防ぐことができる。特に、電気集塵装置５００を引き出す過程で、ドロワ４００がフィルタハウジング１４０の内部空間に定着した状態でないにもかかわらず、端子同士に接触して電源が印加されれば、ユーザに感電の危険がありうるが、これを防ぐことができる。
【０２０２】
図２４〜図２７を参考して、フィルタハウジング１４０は、電気集塵装置５００の動作可能可否を決定する遮断スイッチ１４５を備える。遮断スイッチ１４５は、フィルタハウジング１４０に配置されることができる。遮断スイッチ１４５は、高電圧発生器５８１に電源の供給可能可否をスイッチングする。遮断スイッチ１４５は、押された場合、高電圧発生器５８１の電源が印加可能となるように備えられる。遮断スイッチ１４５は、電気集塵装置５００の他の電源が必要な部品（例えば、センサ、ディスプレイ、モータ等）に電源の供給可能可否をスイッチングすることができる。
【０２０３】
遮断スイッチ１４５は、電気集塵装置５００及びドロワ４００がフィルタハウジング１４０に定着した状態にのみ空気清浄装置１００が動作可能なようにする。遮断スイッチ１４５は、電気集塵装置５００及びドロワ４００がフィルタハウジング１４０から分離された場合、空気清浄装置１００の作動を不可能とする。遮断スイッチ１４５は、電気集塵装置５００及びドロワ４００がフィルタハウジング１４０に完全に結合されていない状態（定着していない状態）で、空気清浄装置１００の作動を不可能とする。
【０２０４】
遮断スイッチ１４５は、電源供給線５８５上に配置される。遮断スイッチ１４５は、高電圧発生器５８１ａ、５８１ｂに電源の印加可能可否をスイッチングする。遮断スイッチ１４５は、押された場合、電源供給線５８５が連結されるようにし、押されなかった場合、電源供給線５８５が遮断されるように備えられることができる。
【０２０５】
遮断スイッチ１４５は、フィルタハウジング１４０の内側面に配置されることができる。遮断スイッチ１４５は、フィルタハウジング１４０の内側面のうち、ケース５０１、５０２がボディ１３０に挿入される方向の側面に配置され得る。遮断スイッチ１４５は、フィルタハウジング１４０の内側面のうち、後側面に配置されることができる。遮断スイッチ１４５は、ケース５０１、５０２がボディ１３０に挿入される方向に押され得るように形成されることができる。
【０２０６】
フィルタアセンブリ１０は、遮断スイッチ１４５を押すように形成された遮断突起１４４を備える。遮断突起１４４は、ドロワ４００がフィルタハウジング１４０に挿入される方向の側面に配置される。遮断突起１４４は、電気集塵装置５００が引き込まれる方向に突出される。遮断突起１４４は、フィルタアセンブリ１０がフィルタハウジング１４０の内部空間に定着した状態で遮断スイッチ１４５を押すように備えられる。遮断突起１４４が遮断スイッチ１４５を押すと、遮断スイッチ１４５が開放していた電源供給線５８５が短絡されて、高電圧発生器５８１に電源の印加が可能となる。これにより、フィルタアセンブリ１０がフィルタハウジング１４０から分離された状態で、ユーザが電源端子１４８ａ、１４８ｂ及び接地端子１４９ａ、１４９ｂに接触するとき、感電を防止することができる。電気集塵装置５００は、遮断突起１４４を備えることができる。遮断突起１４４は、ドロワ４００がフィルタハウジング１４０の内部空間に定着した状態で遮断スイッチ１４５を押すように備えられることができる。
【０２０７】
遮断スイッチ１４５は、複数個が互いに直列に連結されて備えられることができる。フィルタハウジング１４０は、互いに直列に連結される第１の遮断スイッチ１４５ａ及び第２の遮断スイッチ１４５ｂを備えることができる。第１の遮断スイッチ１４５ａ及び第２の遮断スイッチ１４５ｂは、全て押される場合、電源が印加可能なように備えられる。第１の遮断スイッチ１４５ａ及び第２の遮断スイッチ１４５ｂは、電気集塵装置５００に電源の印加可能可否をスイッチングする。
【０２０８】
遮断突起１４４は、第１の遮断スイッチ１４５ａを押すようにフィルタアセンブリ１０から突出された第１の遮断突起１４４ａと、第２の遮断スイッチ１４５ｂを押すようにフィルタアセンブリ１０から突出された第２の遮断突起１４４ｂとを備える。
【０２０９】
電気集塵装置５００は、ドロワ４００がフィルタハウジング１４０の内部空間に定着した状態で第１の遮断スイッチ１４５ａを押すように突出された第１の遮断突起１４４ａを備えることができる。第１の遮断突起１４４ａは、電気集塵装置５００が引き込まれる方向に突出される。
【０２１０】
メッシュフィルタ３００は、メッシュフィルタ３００がフィルタハウジング１４０の内部空間に定着した状態で第２の遮断スイッチ１４５ｂを押すように突出された第２の遮断突起１４４ｂを備えることができる。第２の遮断突起１４４ｂは、メッシュフィルタ３００が引き込まれる方向に突出される。
【０２１１】
図２４〜図２７を参考して、電気集塵装置５００は、高電位電極５４１と低電位電極５４２とが互いに短絡されるようにオン（ＯＮ）するか、互いに短絡されないようにオフ（ＯＦＦ）する短絡スイッチ６００を備える。具体的に、複数の高電位電極５４１は、並列に連結され、高電位電極５４１の並列連結地点で短絡スイッチ６００の一端子と電気的に連結される短絡線６００ａが備えられる。また、複数の低電位電極５４２は、並列に連結され、低電位電極５４２の並列連結地点で短絡スイッチ６００の他の端子と電気的に連結される短絡線６００ｂが備えられる。短絡スイッチ６００は、短絡線６００ａ、６００ｂ上に配置される。
【０２１２】
短絡スイッチ６００は、電気集塵装置５００を定着させたドロワ４００がフィルタハウジング１４０に定着した状態でオフされ、電気集塵装置５００を定着させたドロワ４００がフィルタハウジング１４０から分離された状態でオンされるように備えられる。
【０２１３】
ドロワ４００がフィルタハウジング１４０の内部空間から分離された状態では、高電位電極５４１及び低電位電極５４２が互いに短絡されて集塵部５４０に帯電された電荷が除去される状態となる。短絡スイッチ６００は、押されが解除された場合、高電位電極５４１及び低電位電極５４２が短絡される。
【０２１４】
ドロワ４００がフィルタハウジング１４０の内部空間に定着した状態では、高電位電極５４１及び低電位電極５４２の短絡が解除され、集塵部５４０に電荷が帯電されて電場が発生できる状態となる。
【０２１５】
フィルタハウジング１４０は、ドロワ４００がフィルタハウジング１４０の内部空間に定着した状態で短絡スイッチ６００を押す短絡突起１４１を備える。短絡突起１４１は、ドロワ４００が引き出される方向に突出される。
【０２１６】
短絡突起１４１は、フィルタハウジング１４０の内側面のうち、ドロワ４００がフィルタハウジング１４０に挿入される方向と向かい合う側面に配置される。短絡突起１４１は、フィルタハウジング１４０の内側面のうち、後側面に配置される。
【０２１７】
短絡スイッチ６００は、前記短絡突起と対応する位置に露出して、ケース５０１、５０２がボディ１３０から分離された状態で押される加圧部６２６を備える。前記短絡スイッチ６００は、前記加圧部６２６の加圧面の反対側に配置される弾性体を備えることができる。前記弾性体は、前記加圧部６２６の押された際に弾性圧縮され、前記加圧部６２６が押され解除の際に復元される。
【０２１８】
短絡スイッチ６００は、複数個で備えられることができる。電気集塵装置５００は、複数個の短絡スイッチを備えることができる。
【０２１９】
複数個の短絡スイッチ６００は、短絡線６００ａ、６００ｂ上で互いに並列に連結される。複数個の短絡スイッチ６００−１、６００−２のうち、少なくとも１つのみ短絡されても、高電位電極５４１と低電位電極５４２とは互いに短絡される。これにより、複数個の短絡スイッチ６００のうち、いずれか１つが異物付着や故障などのため正常な短絡動作をしなくても、少なくとも他のいずれか１つが正常な短絡動作をすれば、高電位電極５４１と低電位電極５４２とが互いに短絡されて、ユーザの安全性をより強化することができる。
【０２２０】
本実施形態において、電気集塵装置５００は、２個の短絡スイッチ６００−１、６００−２を備える。２個の短絡スイッチ６００−１、６００−２は、横に離間して配置されることができる。電気集塵装置５００は、第１の短絡スイッチ６００−１及び第２の短絡スイッチ６００−２を備えることができる。
【０２２１】
第１の短絡スイッチ６００−１は、ケース５０１、５０２の外側面に配置された第１の加圧部６５２−１を備える。第２の短絡スイッチ６００−２は、ケース５０１、５０２の外側面に配置された第２の加圧部６５２−２を備える。第１の加圧部６５２−１と第２の加圧部６５２−２とは、互いに離間して配置される。
【０２２２】
フィルタハウジング１４０は、前記複数の加圧部６５２−１、６５２−２に各々対応する位置に形成された複数の短絡突起１４１ａ、１４１ｂを備える。複数の短絡突起１４１ａ、１４１ｂは、第１の短絡スイッチ６００−１を押すように備えられた第１の短絡突起１４１ａと、第２の短絡スイッチ６００−２を押すように備えられた第２の短絡突起１４１ｂとを備えることができる。電気集塵装置５００を定着させたドロワ４００がフィルタハウジング１４０の内部空間に定着した状態で、複数の短絡突起は、各々前記複数の加圧部６５２−１、６５２−２を押すようになる。
【図１】
2018533716.tif 000003
【図２】
2018533716.tif 000004
【図３】
2018533716.tif 000005
【図４】
2018533716.tif 000006
【図５】
2018533716.tif 000007
【図６】
2018533716.tif 000008
【図７】
2018533716.tif 000009
【図８】
2018533716.tif 000010
【図９】
2018533716.tif 000011
【図１０】
2018533716.tif 000012
【図１１】
2018533716.tif 000013
【図１２】
2018533716.tif 000014
【図１３】
2018533716.tif 000015
【図１４】
2018533716.tif 000016
【図１５】
2018533716.tif 000017
【図１６】
2018533716.tif 000018
【図１７】
2018533716.tif 000019
【図１８】
2018533716.tif 000020
【図１９】
2018533716.tif 000021
【図２０】
2018533716.tif 000022
【図２１】
2018533716.tif 000023
【図２２】
2018533716.tif 000024
【図２３】
2018533716.tif 000025
【図２４】
2018533716.tif 000026
【図２５】
2018533716.tif 000027
【図２６】
2018533716.tif 000028
【図２７】
2018533716.tif 000029
【国際調査報告】
2018533716.tif 000030
2018533716.tif 000031
2018533716.tif 000032
2018533716.tif 000033